(57)【要約】【課題】ストロボ装置の照射方向（画角内）に照射される光を増加させる。【解決手段】左右方向に延びている管状の光源1と、光源1から放射された光を反射するリフレクタ2と、光源1から放射された直射光および／または光源1から放射された後にリフレクタ2によって反射された反射光を導光する導光レンズ3とを具備するストロボ装置において、導光レンズ3を、左右方向に配列された複数のレンズ部3a,3b,3c,3d,3e,3f,3g,3h,3iに分割して構成し、レンズ部3a,3b,3c,3d,3e,3f,3g,3h,3iに、ストロボ装置の主光軸線Lに対して右側に広がりながら前側に延びている右側壁3a2,3b2,3c2,3d2,3e2,3f2,3g2,3h2,3i2と、ストロボ装置の主光軸線Lに対して左側に広がりながら前側に延びている左側壁3a1,3b1,3c1,3d1,3e1,3f1,3g1,3h1,3i1とを設けた。【選択図】図１
2009128457.tif 000002
【特許請求の範囲】
【請求項１】
左右方向に延びている管状の光源と、光源から放射された光を反射するためのリフレクタと、光源から放射された直射光および／または光源から放射された後にリフレクタによって反射された反射光を導光するための導光レンズとを具備するストロボ装置において、
導光レンズを、左右方向に配列された複数のレンズ部に分割して構成し、
複数のレンズ部のうち少なくとも２個のレンズ部に、ストロボ装置の主光軸線に対して右側に広がりながら前側に延びている右側壁と、ストロボ装置の主光軸線に対して左側に広がりながら前側に延びている左側壁とを設けたことを特徴とするストロボ装置。
【請求項２】
左右方向に隣接する２個のレンズ部のうち、右側壁および左側壁が存在しない部分を互いに接続することにより、左右方向に配列された複数のレンズ部のすべてを一体的に形成したことを特徴とする請求項１に記載のストロボ装置。
【請求項３】
導光レンズの前側にアウターレンズを配置し、左右方向に配列された複数のレンズ部の前面とアウターレンズとをそれぞれ接続することにより、左右方向に配列された複数のレンズ部のすべてを一体的に形成したことを特徴とする請求項１に記載のストロボ装置。
【発明の詳細な説明】
【技術分野】
【０００１】
本発明は、左右方向に延びている管状の光源と、光源から放射された光を反射するためのリフレクタと、光源から放射された直射光および／または光源から放射された後にリフレクタによって反射された反射光を導光するための導光レンズとを具備するストロボ装置に関し、特には、ストロボ装置の照射方向（画角内）に照射される光を増加させることができるストロボ装置に関する。
【０００２】
詳細には、本発明は、導光レンズの射出（照射）面において屈折し、ストロボ装置の照射方向から外れた向き（画角外）に照射されてしまう光や、導光レンズの射出（照射）面によって全反射され、ストロボ装置の照射方向（画角内）に照射されなくなってしまう光を低減することができるストロボ装置に関する。
【背景技術】
【０００３】
従来から、左右方向に延びている管状の光源と、光源から放射された光を反射するためのリフレクタと、光源から放射された直射光および／または光源から放射された後にリフレクタによって反射された反射光を導光するための導光レンズとを具備するストロボ装置が知られている。この種のストロボ装置の例としては、例えば特許第３６８５５１６号公報の図８に記載されたものがある。
【０００４】
特許第３６８５５１６号公報の図８に記載されたストロボ装置では、ストロボ装置の主光軸線に対して大きい角度をなして光源から左前側に放射された直射光が、ストロボ装置の主光軸線に対して左側に広がりながら前側に延びている導光レンズの左側壁によって反射され、ストロボ装置の照射方向（画角内）に照射される。
【０００５】
特許第３６８５５１６号公報の図８には図示されていないが、同様に、特許第３６８５５１６号公報の図８に記載されたストロボ装置では、ストロボ装置の主光軸線に対して大きい角度をなしてリフレクタによって左前側に反射された反射光が、ストロボ装置の主光軸線に対して左側に広がりながら前側に延びている導光レンズの左側壁によって反射され、ストロボ装置の照射方向（画角内）に照射される。
【０００６】
また、特許第３６８５５１６号公報の図８には図示されていないが、同様に、特許第３６８５５１６号公報の図８に記載されたストロボ装置では、ストロボ装置の主光軸線に対して大きい角度をなして光源から右前側に放射された直射光が、ストロボ装置の主光軸線に対して右側に広がりながら前側に延びている導光レンズの右側壁によって反射され、ストロボ装置の照射方向（画角内）に照射される。
【０００７】
更に、特許第３６８５５１６号公報の図８には図示されていないが、同様に、特許第３６８５５１６号公報の図８に記載されたストロボ装置では、ストロボ装置の主光軸線に対して大きい角度をなしてリフレクタによって右前側に反射された反射光が、ストロボ装置の主光軸線に対して右側に広がりながら前側に延びている導光レンズの右側壁によって反射され、ストロボ装置の照射方向（画角内）に照射される。
【０００８】
ところで、特許第３６８５５１６号公報の図８に記載されたストロボ装置では、導光レンズの左側壁に当たらない程度にストロボ装置の主光軸線に対して大きい角度をなして光源から左前側に放射された直射光が、特許第３６８５５１６号公報の図８に破線で示すように、導光レンズの射出（照射）面において屈折し、ストロボ装置の照射方向から外れた向き（画角外）に照射されてしまうおそれがある。
【０００９】
また、特許第３６８５５１６号公報の図８に記載されたストロボ装置では、導光レンズの左側壁に当たらない程度にストロボ装置の主光軸線に対して大きい角度をなしてリフレクタによって左前側に反射された反射光が、導光レンズの射出（照射）面において屈折し、ストロボ装置の照射方向から外れた向き（画角外）に照射されてしまうおそれがある。
【００１０】
同様に、特許第３６８５５１６号公報の図８に記載されたストロボ装置では、導光レンズの右側壁に当たらない程度にストロボ装置の主光軸線に対して大きい角度をなして光源から右前側に放射された直射光が、導光レンズの射出（照射）面において屈折し、ストロボ装置の照射方向から外れた向き（画角外）に照射されてしまうおそれがある。
【００１１】
また、特許第３６８５５１６号公報の図８に記載されたストロボ装置では、導光レンズの右側壁に当たらない程度にストロボ装置の主光軸線に対して大きい角度をなしてリフレクタによって右前側に反射された反射光が、導光レンズの射出（照射）面において屈折し、ストロボ装置の照射方向から外れた向き（画角外）に照射されてしまうおそれがある。
【００１２】
更に、特許第３６８５５１６号公報の図８に記載されたストロボ装置では、導光レンズの左側壁に当たらない程度にストロボ装置の主光軸線に対して大きい角度をなして光源から左前側に放射された直射光が、導光レンズの射出（照射）面によって全反射され、ストロボ装置の照射方向（画角内）に照射されなくなってしまうおそれがある。
【００１３】
また、特許第３６８５５１６号公報の図８に記載されたストロボ装置では、導光レンズの左側壁に当たらない程度にストロボ装置の主光軸線に対して大きい角度をなしてリフレクタによって左前側に反射された反射光が、導光レンズの射出（照射）面によって全反射され、ストロボ装置の照射方向（画角内）に照射されなくなってしまうおそれがある。
【００１４】
同様に、特許第３６８５５１６号公報の図８に記載されたストロボ装置では、導光レンズの右側壁に当たらない程度にストロボ装置の主光軸線に対して大きい角度をなして光源から右前側に放射された直射光が、導光レンズの射出（照射）面によって全反射され、ストロボ装置の照射方向（画角内）に照射されなくなってしまうおそれがある。
【００１５】
また、特許第３６８５５１６号公報の図８に記載されたストロボ装置では、導光レンズの右側壁に当たらない程度にストロボ装置の主光軸線に対して大きい角度をなしてリフレクタによって右前側に反射された反射光が、導光レンズの射出（照射）面によって全反射され、ストロボ装置の照射方向（画角内）に照射されなくなってしまうおそれがある。
【００１６】
【特許文献１】特許第３６８５５１６号公報の図８
【発明の開示】
【発明が解決しようとする課題】
【００１７】
前記問題点に鑑み、本発明は、ストロボ装置の照射方向（画角内）に照射される光を増加させることができるストロボ装置を提供することを目的とする。
【００１８】
詳細には、本発明は、導光レンズの射出（照射）面において屈折し、ストロボ装置の照射方向から外れた向き（画角外）に照射されてしまう光や、導光レンズの射出（照射）面によって全反射され、ストロボ装置の照射方向（画角内）に照射されなくなってしまう光を低減することができるストロボ装置を提供することを目的とする。
【課題を解決するための手段】
【００１９】
請求項１に記載の発明によれば、左右方向に延びている管状の光源と、光源から放射された光を反射するためのリフレクタと、光源から放射された直射光および／または光源から放射された後にリフレクタによって反射された反射光を導光するための導光レンズとを具備するストロボ装置において、導光レンズを、左右方向に配列された複数のレンズ部に分割して構成し、複数のレンズ部のうち少なくとも２個のレンズ部に、ストロボ装置の主光軸線に対して右側に広がりながら前側に延びている右側壁と、ストロボ装置の主光軸線に対して左側に広がりながら前側に延びている左側壁とを設けたことを特徴とするストロボ装置が提供される。
【００２０】
請求項２に記載の発明によれば、左右方向に隣接する２個のレンズ部のうち、右側壁および左側壁が存在しない部分を互いに接続することにより、左右方向に配列された複数のレンズ部のすべてを一体的に形成したことを特徴とする請求項１に記載のストロボ装置が提供される。
【００２１】
請求項３に記載の発明によれば、導光レンズの前側にアウターレンズを配置し、左右方向に配列された複数のレンズ部の前面とアウターレンズとをそれぞれ接続することにより、左右方向に配列された複数のレンズ部のすべてを一体的に形成したことを特徴とする請求項１に記載のストロボ装置が提供される。
【発明の効果】
【００２２】
請求項１に記載のストロボ装置では、左右方向に延びている管状の光源から放射された光の一部が、導光レンズによって導光され、ストロボ装置の照射方向に照射される。また、左右方向に延びている管状の光源から放射された光の一部がリフレクタによって反射され、次いで、導光レンズによって導光され、ストロボ装置の照射方向に照射される。
【００２３】
詳細には、請求項１に記載のストロボ装置では、導光レンズが、左右方向に配列された複数のレンズ部に分割して構成されている。更に、複数のレンズ部のうち少なくとも２個のレンズ部に、ストロボ装置の主光軸線に対して右側に広がりながら前側に延びている右側壁と、ストロボ装置の主光軸線に対して左側に広がりながら前側に延びている左側壁とが設けられている。
【００２４】
すなわち、請求項１に記載のストロボ装置では、ストロボ装置の主光軸線に対して右側に広がりながら前側に延びている右側壁が、導光レンズに２個以上設けられている。つまり、請求項１に記載のストロボ装置では、ストロボ装置の主光軸線に対して大きい角度をなして右前側に向かって進む光を反射して反射ストロボ装置の照射方向（画角内）に向かって進む光にするための右側壁が、導光レンズに２個以上設けられている。換言すれば、請求項１に記載のストロボ装置では、導光レンズの射出（照射）面に対する光の入射角を小さくするための右側壁が、導光レンズに２個以上設けられている。
【００２５】
そのため、請求項１に記載のストロボ装置によれば、例えば特許第３６８５５１６号公報の図８に記載されたストロボ装置のように、ストロボ装置の主光軸線に対して右側に広がりながら前側に延びている右側壁が導光レンズに１個しか設けられていない場合よりも、ストロボ装置の主光軸線に対して大きい角度をなして右前側に向かって進む光が、導光レンズの右側壁に当たることなく、導光レンズの射出（照射）面において屈折し、ストロボ装置の照射方向から外れた向き（画角外）に照射されてしまうおそれを低減することができる。
【００２６】
また、請求項１に記載のストロボ装置によれば、例えば特許第３６８５５１６号公報の図８に記載されたストロボ装置のように、ストロボ装置の主光軸線に対して右側に広がりながら前側に延びている右側壁が導光レンズに１個しか設けられていない場合よりも、ストロボ装置の主光軸線に対して大きい角度をなして右前側に向かって進む光が、導光レンズの右側壁に当たることなく、導光レンズの射出（照射）面によって全反射され、ストロボ装置の照射方向（画角内）に照射されなくなってしまうおそれを低減することができる。
【００２７】
更に、請求項１に記載のストロボ装置では、ストロボ装置の主光軸線に対して左側に広がりながら前側に延びている左側壁が、導光レンズに２個以上設けられている。つまり、請求項１に記載のストロボ装置では、ストロボ装置の主光軸線に対して大きい角度をなして左前側に向かって進む光を反射して反射ストロボ装置の照射方向（画角内）に向かって進む光にするための左側壁が、導光レンズに２個以上設けられている。換言すれば、請求項１に記載のストロボ装置では、導光レンズの射出（照射）面に対する光の入射角を小さくするための左側壁が、導光レンズに２個以上設けられている。
【００２８】
そのため、請求項１に記載のストロボ装置によれば、例えば特許第３６８５５１６号公報の図８に記載されたストロボ装置のように、ストロボ装置の主光軸線に対して左側に広がりながら前側に延びている左側壁が導光レンズに１個しか設けられていない場合よりも、ストロボ装置の主光軸線に対して大きい角度をなして左前側に向かって進む光が、導光レンズの左側壁に当たることなく、導光レンズの射出（照射）面において屈折し、ストロボ装置の照射方向から外れた向き（画角外）に照射されてしまうおそれを低減することができる。
【００２９】
また、請求項１に記載のストロボ装置によれば、例えば特許第３６８５５１６号公報の図８に記載されたストロボ装置のように、ストロボ装置の主光軸線に対して左側に広がりながら前側に延びている左側壁が導光レンズに１個しか設けられていない場合よりも、ストロボ装置の主光軸線に対して大きい角度をなして左前側に向かって進む光が、導光レンズの左側壁に当たることなく、導光レンズの射出（照射）面によって全反射され、ストロボ装置の照射方向（画角内）に照射されなくなってしまうおそれを低減することができる。
【００３０】
請求項２に記載のストロボ装置では、左右方向に隣接する２個のレンズ部のうち、右側壁および左側壁が存在しない部分を互いに接続することにより、左右方向に配列された複数のレンズ部のすべてが一体的に形成されている。好ましくは、請求項２に記載のストロボ装置では、左右方向に配列された複数のレンズ部のすべてが一体成形されている。そのため、請求項２に記載のストロボ装置によれば、左右方向に配列された複数のレンズ部が互いに分離している場合よりも、ストロボ装置全体の組立コストを抑制することができる。
【００３１】
請求項３に記載のストロボ装置では、導光レンズの前側にアウターレンズを配置し、左右方向に配列された複数のレンズ部の前面とアウターレンズとをそれぞれ接続することにより、左右方向に配列された複数のレンズ部のすべてが一体的に形成されている。好ましくは、請求項３に記載のストロボ装置では、左右方向に配列された複数のレンズ部のすべてとアウターレンズとが一体成形されている。そのため、請求項３に記載のストロボ装置によれば、左右方向に配列された複数のレンズ部が互いに分離している場合よりも、ストロボ装置全体の組立コストを抑制することができる。
【発明を実施するための最良の形態】
【００３２】
以下、本発明のストロボ装置の第１の実施形態について説明する。図１は第１の実施形態のストロボ装置を示した図である。詳細には、図１（Ａ）は第１の実施形態のストロボ装置を右前側かつ上側から見た斜視図、図１（Ｂ）は第１の実施形態のストロボ装置の正面図、図１（Ｃ）は第１の実施形態のストロボ装置の右側面図、図１（Ｄ）は図１（Ｂ）のＡ−Ａ線に沿った断面図である。
【００３３】
図２は図１に示した導光レンズ３の部品図である。詳細には、図２（Ａ）は導光レンズ３の正面図、図２（Ｂ）は導光レンズ３を右前側かつ上側から見た斜視図、図２（Ｃ）は導光レンズ３の平面図、図２（Ｄ）は図２（Ａ）のＢ−Ｂ線に沿った断面図、図２（Ｅ）は導光レンズ３の底面図、図２（Ｆ）は図２（Ａ）のＣ−Ｃ線に沿った断面図、図２（Ｇ）は導光レンズ３の右側面図、図２（Ｈ）は図２（Ａ）のＤ−Ｄ線に沿った断面図、図２（Ｉ）は導光レンズ３の左側面図、図２（Ｊ）は図２（Ａ）のＥ−Ｅ線に沿った断面図である。
【００３４】
図１および図２において、１はストロボ装置の左右方向（図１（Ｂ）の左右方向）に延びている例えばキセノン管のような管状の光源を示しており、２は光源１から放射された光を反射するためのリフレクタを示している。第１の実施形態のストロボ装置では、図１に示すように、例えば放物線をストロボ装置の左右方向にスイープすることにより得られる放物柱面をベースにしてリフレクタ２の反射面が構成されている。更に、放物柱面の焦線の近傍に光源１が配置されている。
【００３５】
また、第１の実施形態のストロボ装置では、図１および図２に示すように、光源１から放射された直射光および光源１から放射された後にリフレクタ２によって反射された反射光を導光するための導光レンズ３が、ストロボ装置の左右方向（図１（Ｂ）および図２（Ａ）の左右方向）に配列された例えば９個のレンズ部３ａ，３ｂ，３ｃ，３ｄ，３ｅ，３ｆ，３ｇ，３ｈ，３ｉに分割して構成されている。
【００３６】
更に、第１の実施形態のストロボ装置では、図２（Ｃ）および図２（Ｄ）に示すように、ストロボ装置の主光軸線Ｌ（図１（Ａ）、図１（Ｂ）および図１（Ｄ）参照）に対して左側（図２（Ｃ）および図２（Ｄ）の左側）に広がりながら前側（図２（Ｃ）および図２（Ｄ）の下側）に延びている左側壁３ａ１と、ストロボ装置の主光軸線Ｌに対して右側（図２（Ｃ）および図２（Ｄ）の右側）に広がりながら前側（図２（Ｃ）および図２（Ｄ）の下側）に延びている右側壁３ａ２とが、レンズ部３ａに設けられている。
【００３７】
また、第１の実施形態のストロボ装置では、図２（Ｅ）および図２（Ｆ）に示すように、ストロボ装置の主光軸線Ｌ（図１（Ａ）、図１（Ｂ）および図１（Ｄ）参照）に対して左側（図２（Ｅ）および図２（Ｆ）の左側）に広がりながら前側（図２（Ｅ）および図２（Ｆ）の上側）に延びている左側壁３ｂ１と、ストロボ装置の主光軸線Ｌに対して右側（図２（Ｅ）および図２（Ｆ）の右側）に広がりながら前側（図２（Ｅ）および図２（Ｆ）の上側）に延びている右側壁３ｂ２とが、レンズ部３ｂに設けられている。
【００３８】
更に、第１の実施形態のストロボ装置では、図２（Ｃ）および図２（Ｄ）に示すように、ストロボ装置の主光軸線Ｌ（図１（Ａ）、図１（Ｂ）および図１（Ｄ）参照）に対して左側（図２（Ｃ）および図２（Ｄ）の左側）に広がりながら前側（図２（Ｃ）および図２（Ｄ）の下側）に延びている左側壁３ｃ１と、ストロボ装置の主光軸線Ｌに対して右側（図２（Ｃ）および図２（Ｄ）の右側）に広がりながら前側（図２（Ｃ）および図２（Ｄ）の下側）に延びている右側壁３ｃ２とが、レンズ部３ｃに設けられている。
【００３９】
また、第１の実施形態のストロボ装置では、図２（Ｅ）および図２（Ｆ）に示すように、ストロボ装置の主光軸線Ｌ（図１（Ａ）、図１（Ｂ）および図１（Ｄ）参照）に対して左側（図２（Ｅ）および図２（Ｆ）の左側）に広がりながら前側（図２（Ｅ）および図２（Ｆ）の上側）に延びている左側壁３ｄ１と、ストロボ装置の主光軸線Ｌに対して右側（図２（Ｅ）および図２（Ｆ）の右側）に広がりながら前側（図２（Ｅ）および図２（Ｆ）の上側）に延びている右側壁３ｄ２とが、レンズ部３ｄに設けられている。
【００４０】
更に、第１の実施形態のストロボ装置では、図２（Ｃ）および図２（Ｄ）に示すように、ストロボ装置の主光軸線Ｌ（図１（Ａ）、図１（Ｂ）および図１（Ｄ）参照）に対して左側（図２（Ｃ）および図２（Ｄ）の左側）に広がりながら前側（図２（Ｃ）および図２（Ｄ）の下側）に延びている左側壁３ｅ１と、ストロボ装置の主光軸線Ｌに対して右側（図２（Ｃ）および図２（Ｄ）の右側）に広がりながら前側（図２（Ｃ）および図２（Ｄ）の下側）に延びている右側壁３ｅ２とが、レンズ部３ｅに設けられている。
【００４１】
また、第１の実施形態のストロボ装置では、図２（Ｅ）および図２（Ｆ）に示すように、ストロボ装置の主光軸線Ｌ（図１（Ａ）、図１（Ｂ）および図１（Ｄ）参照）に対して左側（図２（Ｅ）および図２（Ｆ）の左側）に広がりながら前側（図２（Ｅ）および図２（Ｆ）の上側）に延びている左側壁３ｆ１と、ストロボ装置の主光軸線Ｌに対して右側（図２（Ｅ）および図２（Ｆ）の右側）に広がりながら前側（図２（Ｅ）および図２（Ｆ）の上側）に延びている右側壁３ｆ２とが、レンズ部３ｆに設けられている。
【００４２】
更に、第１の実施形態のストロボ装置では、図２（Ｃ）および図２（Ｄ）に示すように、ストロボ装置の主光軸線Ｌ（図１（Ａ）、図１（Ｂ）および図１（Ｄ）参照）に対して左側（図２（Ｃ）および図２（Ｄ）の左側）に広がりながら前側（図２（Ｃ）および図２（Ｄ）の下側）に延びている左側壁３ｇ１と、ストロボ装置の主光軸線Ｌに対して右側（図２（Ｃ）および図２（Ｄ）の右側）に広がりながら前側（図２（Ｃ）および図２（Ｄ）の下側）に延びている右側壁３ｇ２とが、レンズ部３ｇに設けられている。
【００４３】
また、第１の実施形態のストロボ装置では、図２（Ｅ）および図２（Ｆ）に示すように、ストロボ装置の主光軸線Ｌ（図１（Ａ）、図１（Ｂ）および図１（Ｄ）参照）に対して左側（図２（Ｅ）および図２（Ｆ）の左側）に広がりながら前側（図２（Ｅ）および図２（Ｆ）の上側）に延びている左側壁３ｈ１と、ストロボ装置の主光軸線Ｌに対して右側（図２（Ｅ）および図２（Ｆ）の右側）に広がりながら前側（図２（Ｅ）および図２（Ｆ）の上側）に延びている右側壁３ｈ２とが、レンズ部３ｈに設けられている。
【００４４】
更に、第１の実施形態のストロボ装置では、図２（Ｃ）および図２（Ｄ）に示すように、ストロボ装置の主光軸線Ｌ（図１（Ａ）、図１（Ｂ）および図１（Ｄ）参照）に対して左側（図２（Ｃ）および図２（Ｄ）の左側）に広がりながら前側（図２（Ｃ）および図２（Ｄ）の下側）に延びている左側壁３ｉ１と、ストロボ装置の主光軸線Ｌに対して右側（図２（Ｃ）および図２（Ｄ）の右側）に広がりながら前側（図２（Ｃ）および図２（Ｄ）の下側）に延びている右側壁３ｉ２とが、レンズ部３ｉに設けられている。
【００４５】
詳細には、第１の実施形態のストロボ装置では、図１（Ｄ）に示すように、光源１から放射された光の一部がリフレクタ２によって反射され、次いで、導光レンズ３（図１（Ａ）および図１（Ｂ）参照）によって導光され、ストロボ装置の照射方向（図１（Ｄ）の右側）に照射される。
【００４６】
図３は図１および図２に示した導光レンズ３内を進む光の光路を示した図である。詳細には、図３（Ａ）および図３（Ｂ）は図２（Ｄ）に示した断面内を進む光の光路を示した図、図３（Ｃ）および図３（Ｄ）は図２（Ｆ）に示した断面内を進む光の光路を示した図である。
【００４７】
第１の実施形態のストロボ装置では、図３（Ａ）に示すように、リフレクタ２（図１参照）からの反射光のうち、導光レンズ３のレンズ部３ａの近傍から、ストロボ装置の主光軸線Ｌ（図１参照）と平行な軸線Ｌａに対して大きい角度θａ１をなして左前側（図３（Ａ）の左下側）に向かって進む光が、レンズ部３ａの後側壁（図３（Ａ）の上側の壁）に入射し、レンズ部３ａの後側壁において屈折する。次いで、レンズ部３ａの後側壁において屈折した光が、レンズ部３ａの左側壁３ａ１によって全反射される。次いで、レンズ部３ａの左側壁３ａ１からの反射光が、レンズ部３ａの前側壁（図３（Ａ）の下側の壁）において屈折し、レンズ部３ａの前側壁から射出せしめられる。
【００４８】
詳細には、第１の実施形態のストロボ装置では、図３（Ａ）に示すように、レンズ部３ａの左側壁３ａ１が、ストロボ装置の主光軸線Ｌ（図１参照）および軸線Ｌａに対して左側に広がりながら前側（図３（Ａ）の下側）に延びている。更に、レンズ部３ａの後側壁（図３（Ａ）の上側の壁）が、例えばストロボ装置の主光軸線Ｌおよび軸線Ｌａに対して垂直な面によって構成され、レンズ部３ａの前側壁（図３（Ａ）の下側の壁）が、例えばストロボ装置の主光軸線Ｌおよび軸線Ｌａに対して垂直な面によって構成されている。
【００４９】
そのため、第１の実施形態のストロボ装置では、レンズ部３ａの前側壁（図３（Ａ）の下側の壁）から射出せしめられる光と軸線Ｌａとがなす角度θａ２を、レンズ部３ａの後側壁（図３（Ａ）の上側の壁）に入射する光と軸線Ｌａとがなす角度θａ１よりも小さくすることができる。つまり、第１の実施形態のストロボ装置によれば、リフレクタ２（図１参照）からの反射光のうち、導光レンズ３のレンズ部３ａの近傍から、ストロボ装置の主光軸線Ｌ（図１参照）と平行な軸線Ｌａに対して大きい角度θａ１をなして左前側に向かって進む光を、ストロボ装置の照射方向（画角内）に照射することができる。
【００５０】
また、第１の実施形態のストロボ装置では、レンズ部３ａの左側壁３ａ１がストロボ装置の主光軸線Ｌおよび軸線Ｌａに平行な鉛直面によって構成されている場合よりも、レンズ部３ａの左側壁３ａ１からの反射光がレンズ部３ａの前側壁（図３（Ａ）の下側の壁）に入射する角度（入射角）を小さくすることができる。そのため、第１の実施形態のストロボ装置によれば、レンズ部３ａの左側壁３ａ１からの反射光が大きい入射角でレンズ部３ａの前側壁に入射するのに伴って、レンズ部３ａの左側壁３ａ１からの反射光がレンズ部３ａの前側壁によって全反射され、ストロボ装置の照射方向（画角内）に照射されなくなってしまうおそれを低減することができる。
【００５１】
更に、第１の実施形態のストロボ装置では、図３（Ｃ）に示すように、リフレクタ２（図１参照）からの反射光のうち、導光レンズ３のレンズ部３ｂの近傍から、ストロボ装置の主光軸線Ｌ（図１参照）と平行な軸線Ｌｂに対して大きい角度θｂ１をなして左前側（図３（Ｃ）の左上側）に向かって進む光が、レンズ部３ｂの後側壁（図３（Ｃ）の下側の壁）に入射し、レンズ部３ｂの後側壁において屈折する。次いで、レンズ部３ｂの後側壁において屈折した光が、レンズ部３ｂの左側壁３ｂ１によって全反射される。次いで、レンズ部３ｂの左側壁３ｂ１からの反射光が、レンズ部３ｂの前側壁（図３（Ｃ）の上側の壁）において屈折し、レンズ部３ｂの前側壁から射出せしめられる。
【００５２】
詳細には、第１の実施形態のストロボ装置では、図３（Ｃ）に示すように、レンズ部３ｂの左側壁３ｂ１が、ストロボ装置の主光軸線Ｌ（図１参照）および軸線Ｌｂに対して左側に広がりながら前側（図３（Ｃ）の上側）に延びている。更に、レンズ部３ｂの後側壁（図３（Ｃ）の下側の壁）が、例えばストロボ装置の主光軸線Ｌおよび軸線Ｌｂに対して垂直な面によって構成され、レンズ部３ｂの前側壁（図３（Ｃ）の上側の壁）が、例えばストロボ装置の主光軸線Ｌおよび軸線Ｌｂに対して垂直な面によって構成されている。
【００５３】
そのため、第１の実施形態のストロボ装置では、レンズ部３ｂの前側壁（図３（Ｃ）の上側の壁）から射出せしめられる光と軸線Ｌｂとがなす角度θｂ２を、レンズ部３ｂの後側壁（図３（Ｃ）の下側の壁）に入射する光と軸線Ｌｂとがなす角度θｂ１よりも小さくすることができる。つまり、第１の実施形態のストロボ装置によれば、リフレクタ２（図１参照）からの反射光のうち、導光レンズ３のレンズ部３ｂの近傍から、ストロボ装置の主光軸線Ｌ（図１参照）と平行な軸線Ｌｂに対して大きい角度θｂ１をなして左前側に向かって進む光を、ストロボ装置の照射方向（画角内）に照射することができる。
【００５４】
また、第１の実施形態のストロボ装置では、レンズ部３ｂの左側壁３ｂ１がストロボ装置の主光軸線Ｌおよび軸線Ｌｂに平行な鉛直面によって構成されている場合よりも、レンズ部３ｂの左側壁３ｂ１からの反射光がレンズ部３ｂの前側壁（図３（Ｃ）の上側の壁）に入射する角度（入射角）を小さくすることができる。そのため、第１の実施形態のストロボ装置によれば、レンズ部３ｂの左側壁３ｂ１からの反射光が大きい入射角でレンズ部３ｂの前側壁に入射するのに伴って、レンズ部３ｂの左側壁３ｂ１からの反射光がレンズ部３ｂの前側壁によって全反射され、ストロボ装置の照射方向（画角内）に照射されなくなってしまうおそれを低減することができる。
【００５５】
更に、第１の実施形態のストロボ装置では、図３（Ａ）に示すように、リフレクタ２（図１参照）からの反射光のうち、導光レンズ３のレンズ部３ｃの近傍から、ストロボ装置の主光軸線Ｌ（図１参照）と平行な軸線Ｌｃに対して大きい角度θｃ１をなして左前側（図３（Ａ）の左下側）に向かって進む光が、レンズ部３ｃの後側壁（図３（Ａ）の上側の壁）に入射し、レンズ部３ｃの後側壁において屈折する。次いで、レンズ部３ｃの後側壁において屈折した光が、レンズ部３ｃの左側壁３ｃ１によって全反射される。次いで、レンズ部３ｃの左側壁３ｃ１からの反射光が、レンズ部３ｃの前側壁（図３（Ａ）の下側の壁）において屈折し、レンズ部３ｃの前側壁から射出せしめられる。
【００５６】
詳細には、第１の実施形態のストロボ装置では、図３（Ａ）に示すように、レンズ部３ｃの左側壁３ｃ１が、ストロボ装置の主光軸線Ｌ（図１参照）および軸線Ｌｃに対して左側に広がりながら前側（図３（Ａ）の下側）に延びている。更に、レンズ部３ｃの後側壁（図３（Ａ）の上側の壁）が、例えばストロボ装置の主光軸線Ｌおよび軸線Ｌｃに対して垂直な面によって構成され、レンズ部３ｃの前側壁（図３（Ａ）の下側の壁）が、例えばストロボ装置の主光軸線Ｌおよび軸線Ｌａに対して垂直な面によって構成されている。
【００５７】
そのため、第１の実施形態のストロボ装置では、レンズ部３ｃの前側壁（図３（Ａ）の下側の壁）から射出せしめられる光と軸線Ｌｃとがなす角度θｃ２を、レンズ部３ｃの後側壁（図３（Ａ）の上側の壁）に入射する光と軸線Ｌｃとがなす角度θｃ１よりも小さくすることができる。つまり、第１の実施形態のストロボ装置によれば、リフレクタ２（図１参照）からの反射光のうち、導光レンズ３のレンズ部３ｃの近傍から、ストロボ装置の主光軸線Ｌ（図１参照）と平行な軸線Ｌｃに対して大きい角度θｃ１をなして左前側に向かって進む光を、ストロボ装置の照射方向（画角内）に照射することができる。
【００５８】
また、第１の実施形態のストロボ装置では、レンズ部３ｃの左側壁３ｃ１がストロボ装置の主光軸線Ｌおよび軸線Ｌｃに平行な鉛直面によって構成されている場合よりも、レンズ部３ｃの左側壁３ｃ１からの反射光がレンズ部３ｃの前側壁（図３（Ａ）の下側の壁）に入射する角度（入射角）を小さくすることができる。そのため、第１の実施形態のストロボ装置によれば、レンズ部３ｃの左側壁３ｃ１からの反射光が大きい入射角でレンズ部３ｃの前側壁に入射するのに伴って、レンズ部３ｃの左側壁３ｃ１からの反射光がレンズ部３ｃの前側壁によって全反射され、ストロボ装置の照射方向（画角内）に照射されなくなってしまうおそれを低減することができる。
【００５９】
更に、第１の実施形態のストロボ装置では、図３（Ｃ）に示すように、リフレクタ２（図１参照）からの反射光のうち、導光レンズ３のレンズ部３ｄの近傍から、ストロボ装置の主光軸線Ｌ（図１参照）と平行な軸線Ｌｄに対して大きい角度θｄ１をなして左前側（図３（Ｃ）の左上側）に向かって進む光が、レンズ部３ｄの後側壁（図３（Ｃ）の下側の壁）に入射し、レンズ部３ｄの後側壁において屈折する。次いで、レンズ部３ｄの後側壁において屈折した光が、レンズ部３ｄの左側壁３ｄ１によって全反射される。次いで、レンズ部３ｄの左側壁３ｄ１からの反射光が、レンズ部３ｄの前側壁（図３（Ｃ）の上側の壁）において屈折し、レンズ部３ｄの前側壁から射出せしめられる。
【００６０】
詳細には、第１の実施形態のストロボ装置では、図３（Ｃ）に示すように、レンズ部３ｄの左側壁３ｄ１が、ストロボ装置の主光軸線Ｌ（図１参照）および軸線Ｌｄに対して左側に広がりながら前側（図３（Ｃ）の上側）に延びている。更に、レンズ部３ｄの後側壁（図３（Ｃ）の下側の壁）が、例えばストロボ装置の主光軸線Ｌおよび軸線Ｌｄに対して垂直な面によって構成され、レンズ部３ｄの前側壁（図３（Ｃ）の上側の壁）が、例えばストロボ装置の主光軸線Ｌおよび軸線Ｌｄに対して垂直な面によって構成されている。
【００６１】
そのため、第１の実施形態のストロボ装置では、レンズ部３ｄの前側壁（図３（Ｃ）の上側の壁）から射出せしめられる光と軸線Ｌｄとがなす角度θｄ２を、レンズ部３ｄの後側壁（図３（Ｃ）の下側の壁）に入射する光と軸線Ｌｄとがなす角度θｄ１よりも小さくすることができる。つまり、第１の実施形態のストロボ装置によれば、リフレクタ２（図１参照）からの反射光のうち、導光レンズ３のレンズ部３ｄの近傍から、ストロボ装置の主光軸線Ｌ（図１参照）と平行な軸線Ｌｄに対して大きい角度θｄ１をなして左前側に向かって進む光を、ストロボ装置の照射方向（画角内）に照射することができる。
【００６２】
また、第１の実施形態のストロボ装置では、レンズ部３ｄの左側壁３ｄ１がストロボ装置の主光軸線Ｌおよび軸線Ｌｄに平行な鉛直面によって構成されている場合よりも、レンズ部３ｄの左側壁３ｄ１からの反射光がレンズ部３ｄの前側壁（図３（Ｃ）の上側の壁）に入射する角度（入射角）を小さくすることができる。そのため、第１の実施形態のストロボ装置によれば、レンズ部３ｄの左側壁３ｄ１からの反射光が大きい入射角でレンズ部３ｄの前側壁に入射するのに伴って、レンズ部３ｄの左側壁３ｄ１からの反射光がレンズ部３ｄの前側壁によって全反射され、ストロボ装置の照射方向（画角内）に照射されなくなってしまうおそれを低減することができる。
【００６３】
更に、第１の実施形態のストロボ装置では、図３（Ａ）に示すように、リフレクタ２（図１参照）からの反射光のうち、導光レンズ３のレンズ部３ｅの近傍から、ストロボ装置の主光軸線Ｌ（図１参照）と平行な軸線Ｌｅに対して大きい角度θｅ１をなして左前側（図３（Ａ）の左下側）に向かって進む光が、レンズ部３ｅの後側壁（図３（Ａ）の上側の壁）に入射し、レンズ部３ｅの後側壁において屈折する。次いで、レンズ部３ｅの後側壁において屈折した光が、レンズ部３ｅの左側壁３ｅ１によって全反射される。次いで、レンズ部３ｅの左側壁３ｅ１からの反射光が、レンズ部３ｅの前側壁（図３（Ａ）の下側の壁）において屈折し、レンズ部３ｅの前側壁から射出せしめられる。
【００６４】
詳細には、第１の実施形態のストロボ装置では、図３（Ａ）に示すように、レンズ部３ｅの左側壁３ｅ１が、ストロボ装置の主光軸線Ｌ（図１参照）および軸線Ｌｅに対して左側に広がりながら前側（図３（Ａ）の下側）に延びている。更に、レンズ部３ｅの後側壁（図３（Ａ）の上側の壁）が、例えばストロボ装置の主光軸線Ｌおよび軸線Ｌｅに対して垂直な面によって構成され、レンズ部３ｅの前側壁（図３（Ａ）の下側の壁）が、例えばストロボ装置の主光軸線Ｌおよび軸線Ｌｅに対して垂直な面によって構成されている。
【００６５】
そのため、第１の実施形態のストロボ装置では、レンズ部３ｅの前側壁（図３（Ａ）の下側の壁）から射出せしめられる光と軸線Ｌｅとがなす角度θｅ２を、レンズ部３ｅの後側壁（図３（Ａ）の上側の壁）に入射する光と軸線Ｌｅとがなす角度θｅ１よりも小さくすることができる。つまり、第１の実施形態のストロボ装置によれば、リフレクタ２（図１参照）からの反射光のうち、導光レンズ３のレンズ部３ｅの近傍から、ストロボ装置の主光軸線Ｌ（図１参照）と平行な軸線Ｌｅに対して大きい角度θｅ１をなして左前側に向かって進む光を、ストロボ装置の照射方向（画角内）に照射することができる。
【００６６】
また、第１の実施形態のストロボ装置では、レンズ部３ｅの左側壁３ｅ１がストロボ装置の主光軸線Ｌおよび軸線Ｌｅに平行な鉛直面によって構成されている場合よりも、レンズ部３ｅの左側壁３ｅ１からの反射光がレンズ部３ｅの前側壁（図３（Ａ）の下側の壁）に入射する角度（入射角）を小さくすることができる。そのため、第１の実施形態のストロボ装置によれば、レンズ部３ｅの左側壁３ｅ１からの反射光が大きい入射角でレンズ部３ｅの前側壁に入射するのに伴って、レンズ部３ｅの左側壁３ｅ１からの反射光がレンズ部３ｅの前側壁によって全反射され、ストロボ装置の照射方向（画角内）に照射されなくなってしまうおそれを低減することができる。
【００６７】
更に、第１の実施形態のストロボ装置では、図３（Ｃ）に示すように、リフレクタ２（図１参照）からの反射光のうち、導光レンズ３のレンズ部３ｆの近傍から、ストロボ装置の主光軸線Ｌ（図１参照）と平行な軸線Ｌｆに対して大きい角度θｆ１をなして左前側（図３（Ｃ）の左上側）に向かって進む光が、レンズ部３ｆの後側壁（図３（Ｃ）の下側の壁）に入射し、レンズ部３ｆの後側壁において屈折する。次いで、レンズ部３ｆの後側壁において屈折した光が、レンズ部３ｆの左側壁３ｆ１によって全反射される。次いで、レンズ部３ｆの左側壁３ｆ１からの反射光が、レンズ部３ｆの前側壁（図３（Ｃ）の上側の壁）において屈折し、レンズ部３ｆの前側壁から射出せしめられる。
【００６８】
詳細には、第１の実施形態のストロボ装置では、図３（Ｃ）に示すように、レンズ部３ｆの左側壁３ｆ１が、ストロボ装置の主光軸線Ｌ（図１参照）および軸線Ｌｆに対して左側に広がりながら前側（図３（Ｃ）の上側）に延びている。更に、レンズ部３ｆの後側壁（図３（Ｃ）の下側の壁）が、例えばストロボ装置の主光軸線Ｌおよび軸線Ｌｆに対して垂直な面によって構成され、レンズ部３ｆの前側壁（図３（Ｃ）の上側の壁）が、例えばストロボ装置の主光軸線Ｌおよび軸線Ｌｆに対して垂直な面によって構成されている。
【００６９】
そのため、第１の実施形態のストロボ装置では、レンズ部３ｆの前側壁（図３（Ｃ）の上側の壁）から射出せしめられる光と軸線Ｌｆとがなす角度θｆ２を、レンズ部３ｆの後側壁（図３（Ｃ）の下側の壁）に入射する光と軸線Ｌｆとがなす角度θｆ１よりも小さくすることができる。つまり、第１の実施形態のストロボ装置によれば、リフレクタ２（図１参照）からの反射光のうち、導光レンズ３のレンズ部３ｆの近傍から、ストロボ装置の主光軸線Ｌ（図１参照）と平行な軸線Ｌｆに対して大きい角度θｆ１をなして左前側に向かって進む光を、ストロボ装置の照射方向（画角内）に照射することができる。
【００７０】
また、第１の実施形態のストロボ装置では、レンズ部３ｆの左側壁３ｆ１がストロボ装置の主光軸線Ｌおよび軸線Ｌｆに平行な鉛直面によって構成されている場合よりも、レンズ部３ｆの左側壁３ｆ１からの反射光がレンズ部３ｆの前側壁（図３（Ｃ）の上側の壁）に入射する角度（入射角）を小さくすることができる。そのため、第１の実施形態のストロボ装置によれば、レンズ部３ｆの左側壁３ｆ１からの反射光が大きい入射角でレンズ部３ｆの前側壁に入射するのに伴って、レンズ部３ｆの左側壁３ｆ１からの反射光がレンズ部３ｆの前側壁によって全反射され、ストロボ装置の照射方向（画角内）に照射されなくなってしまうおそれを低減することができる。
【００７１】
更に、第１の実施形態のストロボ装置では、図３（Ａ）に示すように、リフレクタ２（図１参照）からの反射光のうち、導光レンズ３のレンズ部３ｇの近傍から、ストロボ装置の主光軸線Ｌ（図１参照）と平行な軸線Ｌｇに対して大きい角度θｇ１をなして左前側（図３（Ａ）の左下側）に向かって進む光が、レンズ部３ｇの後側壁（図３（Ａ）の上側の壁）に入射し、レンズ部３ｇの後側壁において屈折する。次いで、レンズ部３ｇの後側壁において屈折した光が、レンズ部３ｇの左側壁３ｇ１によって全反射される。次いで、レンズ部３ｇの左側壁３ｇ１からの反射光が、レンズ部３ｇの前側壁（図３（Ａ）の下側の壁）において屈折し、レンズ部３ｇの前側壁から射出せしめられる。
【００７２】
詳細には、第１の実施形態のストロボ装置では、図３（Ａ）に示すように、レンズ部３ｇの左側壁３ｇ１が、ストロボ装置の主光軸線Ｌ（図１参照）および軸線Ｌｇに対して左側に広がりながら前側（図３（Ａ）の下側）に延びている。更に、レンズ部３ｇの後側壁（図３（Ａ）の上側の壁）が、例えばストロボ装置の主光軸線Ｌおよび軸線Ｌｇに対して垂直な面によって構成され、レンズ部３ｇの前側壁（図３（Ａ）の下側の壁）が、例えばストロボ装置の主光軸線Ｌおよび軸線Ｌｇに対して垂直な面によって構成されている。
【００７３】
そのため、第１の実施形態のストロボ装置では、レンズ部３ｇの前側壁（図３（Ａ）の下側の壁）から射出せしめられる光と軸線Ｌｇとがなす角度θｇ２を、レンズ部３ｇの後側壁（図３（Ａ）の上側の壁）に入射する光と軸線Ｌｇとがなす角度θｇ１よりも小さくすることができる。つまり、第１の実施形態のストロボ装置によれば、リフレクタ２（図１参照）からの反射光のうち、導光レンズ３のレンズ部３ｇの近傍から、ストロボ装置の主光軸線Ｌ（図１参照）と平行な軸線Ｌｇに対して大きい角度θｇ１をなして左前側に向かって進む光を、ストロボ装置の照射方向（画角内）に照射することができる。
【００７４】
また、第１の実施形態のストロボ装置では、レンズ部３ｇの左側壁３ｇ１がストロボ装置の主光軸線Ｌおよび軸線Ｌｇに平行な鉛直面によって構成されている場合よりも、レンズ部３ｇの左側壁３ｇ１からの反射光がレンズ部３ｇの前側壁（図３（Ａ）の下側の壁）に入射する角度（入射角）を小さくすることができる。そのため、第１の実施形態のストロボ装置によれば、レンズ部３ｇの左側壁３ｇ１からの反射光が大きい入射角でレンズ部３ｇの前側壁に入射するのに伴って、レンズ部３ｇの左側壁３ｇ１からの反射光がレンズ部３ｇの前側壁によって全反射され、ストロボ装置の照射方向（画角内）に照射されなくなってしまうおそれを低減することができる。
【００７５】
更に、第１の実施形態のストロボ装置では、図３（Ｃ）に示すように、リフレクタ２（図１参照）からの反射光のうち、導光レンズ３のレンズ部３ｈの近傍から、ストロボ装置の主光軸線Ｌ（図１参照）と平行な軸線Ｌｈに対して大きい角度θｈ１をなして左前側（図３（Ｃ）の左上側）に向かって進む光が、レンズ部３ｈの後側壁（図３（Ｃ）の下側の壁）に入射し、レンズ部３ｈの後側壁において屈折する。次いで、レンズ部３ｈの後側壁において屈折した光が、レンズ部３ｈの左側壁３ｈ１によって全反射される。次いで、レンズ部３ｈの左側壁３ｈ１からの反射光が、レンズ部３ｈの前側壁（図３（Ｃ）の上側の壁）において屈折し、レンズ部３ｈの前側壁から射出せしめられる。
【００７６】
詳細には、第１の実施形態のストロボ装置では、図３（Ｃ）に示すように、レンズ部３ｈの左側壁３ｈ１が、ストロボ装置の主光軸線Ｌ（図１参照）および軸線Ｌｈに対して左側に広がりながら前側（図３（Ｃ）の上側）に延びている。更に、レンズ部３ｈの後側壁（図３（Ｃ）の下側の壁）が、例えばストロボ装置の主光軸線Ｌおよび軸線Ｌｈに対して垂直な面によって構成され、レンズ部３ｈの前側壁（図３（Ｃ）の上側の壁）が、例えばストロボ装置の主光軸線Ｌおよび軸線Ｌｈに対して垂直な面によって構成されている。
【００７７】
そのため、第１の実施形態のストロボ装置では、レンズ部３ｈの前側壁（図３（Ｃ）の上側の壁）から射出せしめられる光と軸線Ｌｈとがなす角度θｈ２を、レンズ部３ｈの後側壁（図３（Ｃ）の下側の壁）に入射する光と軸線Ｌｈとがなす角度θｈ１よりも小さくすることができる。つまり、第１の実施形態のストロボ装置によれば、リフレクタ２（図１参照）からの反射光のうち、導光レンズ３のレンズ部３ｈの近傍から、ストロボ装置の主光軸線Ｌ（図１参照）と平行な軸線Ｌｈに対して大きい角度θｈ１をなして左前側に向かって進む光を、ストロボ装置の照射方向（画角内）に照射することができる。
【００７８】
また、第１の実施形態のストロボ装置では、レンズ部３ｈの左側壁３ｈ１がストロボ装置の主光軸線Ｌおよび軸線Ｌｈに平行な鉛直面によって構成されている場合よりも、レンズ部３ｈの左側壁３ｈ１からの反射光がレンズ部３ｈの前側壁（図３（Ｃ）の上側の壁）に入射する角度（入射角）を小さくすることができる。そのため、第１の実施形態のストロボ装置によれば、レンズ部３ｈの左側壁３ｈ１からの反射光が大きい入射角でレンズ部３ｈの前側壁に入射するのに伴って、レンズ部３ｈの左側壁３ｈ１からの反射光がレンズ部３ｈの前側壁によって全反射され、ストロボ装置の照射方向（画角内）に照射されなくなってしまうおそれを低減することができる。
【００７９】
更に、第１の実施形態のストロボ装置では、図３（Ａ）に示すように、リフレクタ２（図１参照）からの反射光のうち、導光レンズ３のレンズ部３ｉの近傍から、ストロボ装置の主光軸線Ｌ（図１参照）と平行な軸線Ｌｉに対して大きい角度θｉ１をなして左前側（図３（Ａ）の左下側）に向かって進む光が、レンズ部３ｉの後側壁（図３（Ａ）の上側の壁）に入射し、レンズ部３ｉの後側壁において屈折する。次いで、レンズ部３ｉの後側壁において屈折した光が、レンズ部３ｉの左側壁３ｉ１によって全反射される。次いで、レンズ部３ｉの左側壁３ｉ１からの反射光が、レンズ部３ｉの前側壁（図３（Ａ）の下側の壁）において屈折し、レンズ部３ｉの前側壁から射出せしめられる。
【００８０】
詳細には、第１の実施形態のストロボ装置では、図３（Ａ）に示すように、レンズ部３ｉの左側壁３ｉ１が、ストロボ装置の主光軸線Ｌ（図１参照）および軸線Ｌｉに対して左側に広がりながら前側（図３（Ａ）の下側）に延びている。更に、レンズ部３ｉの後側壁（図３（Ａ）の上側の壁）が、例えばストロボ装置の主光軸線Ｌおよび軸線Ｌｉに対して垂直な面によって構成され、レンズ部３ｉの前側壁（図３（Ａ）の下側の壁）が、例えばストロボ装置の主光軸線Ｌおよび軸線Ｌｉに対して垂直な面によって構成されている。
【００８１】
そのため、第１の実施形態のストロボ装置では、レンズ部３ｉの前側壁（図３（Ａ）の下側の壁）から射出せしめられる光と軸線Ｌｉとがなす角度θｉ２を、レンズ部３ｉの後側壁（図３（Ａ）の上側の壁）に入射する光と軸線Ｌｉとがなす角度θｉ１よりも小さくすることができる。つまり、第１の実施形態のストロボ装置によれば、リフレクタ２（図１参照）からの反射光のうち、導光レンズ３のレンズ部３ｉの近傍から、ストロボ装置の主光軸線Ｌ（図１参照）と平行な軸線Ｌｉに対して大きい角度θｉ１をなして左前側に向かって進む光を、ストロボ装置の照射方向（画角内）に照射することができる。
【００８２】
また、第１の実施形態のストロボ装置では、レンズ部３ｉの左側壁３ｉ１がストロボ装置の主光軸線Ｌおよび軸線Ｌｉに平行な鉛直面によって構成されている場合よりも、レンズ部３ｉの左側壁３ｉ１からの反射光がレンズ部３ｉの前側壁（図３（Ａ）の下側の壁）に入射する角度（入射角）を小さくすることができる。そのため、第１の実施形態のストロボ装置によれば、レンズ部３ｉの左側壁３ｉ１からの反射光が大きい入射角でレンズ部３ｉの前側壁に入射するのに伴って、レンズ部３ｉの左側壁３ｉ１からの反射光がレンズ部３ｉの前側壁によって全反射され、ストロボ装置の照射方向（画角内）に照射されなくなってしまうおそれを低減することができる。
【００８３】
更に、第１の実施形態のストロボ装置では、図３（Ｂ）に示すように、リフレクタ２（図１参照）からの反射光のうち、導光レンズ３のレンズ部３ａの近傍から、ストロボ装置の主光軸線Ｌ（図１参照）と平行な軸線Ｌａに対して大きい角度θａ３をなして右前側（図３（Ｂ）の右下側）に向かって進む光が、レンズ部３ａの後側壁（図３（Ｂ）の上側の壁）に入射し、レンズ部３ａの後側壁において屈折する。次いで、レンズ部３ａの後側壁において屈折した光が、レンズ部３ａの右側壁３ａ２によって全反射される。次いで、レンズ部３ａの右側壁３ａ２からの反射光が、レンズ部３ａの前側壁（図３（Ｂ）の下側の壁）において屈折し、レンズ部３ａの前側壁から射出せしめられる。
【００８４】
詳細には、第１の実施形態のストロボ装置では、図３（Ｂ）に示すように、レンズ部３ａの右側壁３ａ２が、ストロボ装置の主光軸線Ｌ（図１参照）および軸線Ｌａに対して右側に広がりながら前側（図３（Ｂ）の下側）に延びている。更に、上述したように、レンズ部３ａの後側壁（図３（Ｂ）の上側の壁）が、例えばストロボ装置の主光軸線Ｌおよび軸線Ｌａに対して垂直な面によって構成され、レンズ部３ａの前側壁（図３（Ｂ）の下側の壁）が、例えばストロボ装置の主光軸線Ｌおよび軸線Ｌａに対して垂直な面によって構成されている。
【００８５】
そのため、第１の実施形態のストロボ装置では、レンズ部３ａの前側壁（図３（Ｂ）の下側の壁）から射出せしめられる光と軸線Ｌａとがなす角度θａ４を、レンズ部３ａの後側壁（図３（Ｂ）の上側の壁）に入射する光と軸線Ｌａとがなす角度θａ３よりも小さくすることができる。つまり、第１の実施形態のストロボ装置によれば、リフレクタ２（図１参照）からの反射光のうち、導光レンズ３のレンズ部３ａの近傍から、ストロボ装置の主光軸線Ｌ（図１参照）と平行な軸線Ｌａに対して大きい角度θａ３をなして右前側に向かって進む光を、ストロボ装置の照射方向（画角内）に照射することができる。
【００８６】
また、第１の実施形態のストロボ装置では、レンズ部３ａの右側壁３ａ２がストロボ装置の主光軸線Ｌおよび軸線Ｌａに平行な鉛直面によって構成されている場合よりも、レンズ部３ａの右側壁３ａ２からの反射光がレンズ部３ａの前側壁（図３（Ｂ）の下側の壁）に入射する角度（入射角）を小さくすることができる。そのため、第１の実施形態のストロボ装置によれば、レンズ部３ａの右側壁３ａ２からの反射光が大きい入射角でレンズ部３ａの前側壁に入射するのに伴って、レンズ部３ａの右側壁３ａ２からの反射光がレンズ部３ａの前側壁によって全反射され、ストロボ装置の照射方向（画角内）に照射されなくなってしまうおそれを低減することができる。
【００８７】
更に、第１の実施形態のストロボ装置では、図３（Ｄ）に示すように、リフレクタ２（図１参照）からの反射光のうち、導光レンズ３のレンズ部３ｂの近傍から、ストロボ装置の主光軸線Ｌ（図１参照）と平行な軸線Ｌｂに対して大きい角度θｂ３をなして右前側（図３（Ｄ）の右上側）に向かって進む光が、レンズ部３ｂの後側壁（図３（Ｄ）の下側の壁）に入射し、レンズ部３ｂの後側壁において屈折する。次いで、レンズ部３ｂの後側壁において屈折した光が、レンズ部３ｂの右側壁３ｂ２によって全反射される。次いで、レンズ部３ｂの右側壁３ｂ２からの反射光が、レンズ部３ｂの前側壁（図３（Ｄ）の上側の壁）において屈折し、レンズ部３ｂの前側壁から射出せしめられる。
【００８８】
詳細には、第１の実施形態のストロボ装置では、図３（Ｄ）に示すように、レンズ部３ｂの右側壁３ｂ２が、ストロボ装置の主光軸線Ｌ（図１参照）および軸線Ｌｂに対して右側に広がりながら前側（図３（Ｄ）の上側）に延びている。更に、上述したように、レンズ部３ｂの後側壁（図３（Ｄ）の下側の壁）が、例えばストロボ装置の主光軸線Ｌおよび軸線Ｌｂに対して垂直な面によって構成され、レンズ部３ｂの前側壁（図３（Ｄ）の上側の壁）が、例えばストロボ装置の主光軸線Ｌおよび軸線Ｌｂに対して垂直な面によって構成されている。
【００８９】
そのため、第１の実施形態のストロボ装置では、レンズ部３ｂの前側壁（図３（Ｄ）の上側の壁）から射出せしめられる光と軸線Ｌｂとがなす角度θｂ４を、レンズ部３ｂの後側壁（図３（Ｄ）の下側の壁）に入射する光と軸線Ｌｂとがなす角度θｂ３よりも小さくすることができる。つまり、第１の実施形態のストロボ装置によれば、リフレクタ２（図１参照）からの反射光のうち、導光レンズ３のレンズ部３ｂの近傍から、ストロボ装置の主光軸線Ｌ（図１参照）と平行な軸線Ｌｂに対して大きい角度θｂ３をなして右前側に向かって進む光を、ストロボ装置の照射方向（画角内）に照射することができる。
【００９０】
また、第１の実施形態のストロボ装置では、レンズ部３ｂの右側壁３ｂ２がストロボ装置の主光軸線Ｌおよび軸線Ｌｂに平行な鉛直面によって構成されている場合よりも、レンズ部３ｂの右側壁３ｂ２からの反射光がレンズ部３ｂの前側壁（図３（Ｄ）の上側の壁）に入射する角度（入射角）を小さくすることができる。そのため、第１の実施形態のストロボ装置によれば、レンズ部３ｂの右側壁３ｂ２からの反射光が大きい入射角でレンズ部３ｂの前側壁に入射するのに伴って、レンズ部３ｂの右側壁３ｂ２からの反射光がレンズ部３ｂの前側壁によって全反射され、ストロボ装置の照射方向（画角内）に照射されなくなってしまうおそれを低減することができる。
【００９１】
更に、第１の実施形態のストロボ装置では、図３（Ｂ）に示すように、リフレクタ２（図１参照）からの反射光のうち、導光レンズ３のレンズ部３ｃの近傍から、ストロボ装置の主光軸線Ｌ（図１参照）と平行な軸線Ｌｃに対して大きい角度θｃ３をなして右前側（図３（Ｂ）の右下側）に向かって進む光が、レンズ部３ｃの後側壁（図３（Ｂ）の上側の壁）に入射し、レンズ部３ｃの後側壁において屈折する。次いで、レンズ部３ｃの後側壁において屈折した光が、レンズ部３ｃの右側壁３ｃ２によって全反射される。次いで、レンズ部３ｃの右側壁３ｃ２からの反射光が、レンズ部３ｃの前側壁（図３（Ｂ）の下側の壁）において屈折し、レンズ部３ｃの前側壁から射出せしめられる。
【００９２】
詳細には、第１の実施形態のストロボ装置では、図３（Ｂ）に示すように、レンズ部３ｃの右側壁３ｃ２が、ストロボ装置の主光軸線Ｌ（図１参照）および軸線Ｌｃに対して右側に広がりながら前側（図３（Ｂ）の下側）に延びている。更に、上述したように、レンズ部３ｃの後側壁（図３（Ｂ）の上側の壁）が、例えばストロボ装置の主光軸線Ｌおよび軸線Ｌｃに対して垂直な面によって構成され、レンズ部３ｃの前側壁（図３（Ｂ）の下側の壁）が、例えばストロボ装置の主光軸線Ｌおよび軸線Ｌｃに対して垂直な面によって構成されている。
【００９３】
そのため、第１の実施形態のストロボ装置では、レンズ部３ｃの前側壁（図３（Ｂ）の下側の壁）から射出せしめられる光と軸線Ｌｃとがなす角度θｃ４を、レンズ部３ｃの後側壁（図３（Ｂ）の上側の壁）に入射する光と軸線Ｌｃとがなす角度θｃ３よりも小さくすることができる。つまり、第１の実施形態のストロボ装置によれば、リフレクタ２（図１参照）からの反射光のうち、導光レンズ３のレンズ部３ｃの近傍から、ストロボ装置の主光軸線Ｌ（図１参照）と平行な軸線Ｌｃに対して大きい角度θｃ３をなして右前側に向かって進む光を、ストロボ装置の照射方向（画角内）に照射することができる。
【００９４】
また、第１の実施形態のストロボ装置では、レンズ部３ｃの右側壁３ｃ２がストロボ装置の主光軸線Ｌおよび軸線Ｌｃに平行な鉛直面によって構成されている場合よりも、レンズ部３ｃの右側壁３ｃ２からの反射光がレンズ部３ｃの前側壁（図３（Ｂ）の下側の壁）に入射する角度（入射角）を小さくすることができる。そのため、第１の実施形態のストロボ装置によれば、レンズ部３ｃの右側壁３ｃ２からの反射光が大きい入射角でレンズ部３ｃの前側壁に入射するのに伴って、レンズ部３ｃの右側壁３ｃ２からの反射光がレンズ部３ｃの前側壁によって全反射され、ストロボ装置の照射方向（画角内）に照射されなくなってしまうおそれを低減することができる。
【００９５】
更に、第１の実施形態のストロボ装置では、図３（Ｄ）に示すように、リフレクタ２（図１参照）からの反射光のうち、導光レンズ３のレンズ部３ｄの近傍から、ストロボ装置の主光軸線Ｌ（図１参照）と平行な軸線Ｌｄに対して大きい角度θｄ３をなして右前側（図３（Ｄ）の右上側）に向かって進む光が、レンズ部３ｄの後側壁（図３（Ｄ）の下側の壁）に入射し、レンズ部３ｄの後側壁において屈折する。次いで、レンズ部３ｄの後側壁において屈折した光が、レンズ部３ｄの右側壁３ｄ２によって全反射される。次いで、レンズ部３ｄの右側壁３ｄ２からの反射光が、レンズ部３ｄの前側壁（図３（Ｄ）の上側の壁）において屈折し、レンズ部３ｄの前側壁から射出せしめられる。
【００９６】
詳細には、第１の実施形態のストロボ装置では、図３（Ｄ）に示すように、レンズ部３ｄの右側壁３ｄ２が、ストロボ装置の主光軸線Ｌ（図１参照）および軸線Ｌｄに対して右側に広がりながら前側（図３（Ｄ）の上側）に延びている。更に、上述したように、レンズ部３ｄの後側壁（図３（Ｄ）の下側の壁）が、例えばストロボ装置の主光軸線Ｌおよび軸線Ｌｄに対して垂直な面によって構成され、レンズ部３ｄの前側壁（図３（Ｄ）の上側の壁）が、例えばストロボ装置の主光軸線Ｌおよび軸線Ｌｄに対して垂直な面によって構成されている。
【００９７】
そのため、第１の実施形態のストロボ装置では、レンズ部３ｄの前側壁（図３（Ｄ）の上側の壁）から射出せしめられる光と軸線Ｌｄとがなす角度θｄ４を、レンズ部３ｄの後側壁（図３（Ｄ）の下側の壁）に入射する光と軸線Ｌｄとがなす角度θｄ３よりも小さくすることができる。つまり、第１の実施形態のストロボ装置によれば、リフレクタ２（図１参照）からの反射光のうち、導光レンズ３のレンズ部３ｄの近傍から、ストロボ装置の主光軸線Ｌ（図１参照）と平行な軸線Ｌｄに対して大きい角度θｄ３をなして右前側に向かって進む光を、ストロボ装置の照射方向（画角内）に照射することができる。
【００９８】
また、第１の実施形態のストロボ装置では、レンズ部３ｄの右側壁３ｄ２がストロボ装置の主光軸線Ｌおよび軸線Ｌｄに平行な鉛直面によって構成されている場合よりも、レンズ部３ｄの右側壁３ｄ２からの反射光がレンズ部３ｄの前側壁（図３（Ｄ）の上側の壁）に入射する角度（入射角）を小さくすることができる。そのため、第１の実施形態のストロボ装置によれば、レンズ部３ｄの右側壁３ｄ２からの反射光が大きい入射角でレンズ部３ｄの前側壁に入射するのに伴って、レンズ部３ｄの右側壁３ｄ２からの反射光がレンズ部３ｄの前側壁によって全反射され、ストロボ装置の照射方向（画角内）に照射されなくなってしまうおそれを低減することができる。
【００９９】
更に、第１の実施形態のストロボ装置では、図３（Ｂ）に示すように、リフレクタ２（図１参照）からの反射光のうち、導光レンズ３のレンズ部３ｅの近傍から、ストロボ装置の主光軸線Ｌ（図１参照）と平行な軸線Ｌｅに対して大きい角度θｅ３をなして右前側（図３（Ｂ）の右下側）に向かって進む光が、レンズ部３ｅの後側壁（図３（Ｂ）の上側の壁）に入射し、レンズ部３ｅの後側壁において屈折する。次いで、レンズ部３ｅの後側壁において屈折した光が、レンズ部３ｅの右側壁３ｅ２によって全反射される。次いで、レンズ部３ｅの右側壁３ｅ２からの反射光が、レンズ部３ｅの前側壁（図３（Ｂ）の下側の壁）において屈折し、レンズ部３ｅの前側壁から射出せしめられる。
【０１００】
詳細には、第１の実施形態のストロボ装置では、図３（Ｂ）に示すように、レンズ部３ｅの右側壁３ｅ２が、ストロボ装置の主光軸線Ｌ（図１参照）および軸線Ｌｅに対して右側に広がりながら前側（図３（Ｂ）の下側）に延びている。更に、上述したように、レンズ部３ｅの後側壁（図３（Ｂ）の上側の壁）が、例えばストロボ装置の主光軸線Ｌおよび軸線Ｌｅに対して垂直な面によって構成され、レンズ部３ｅの前側壁（図３（Ｂ）の下側の壁）が、例えばストロボ装置の主光軸線Ｌおよび軸線Ｌｅに対して垂直な面によって構成されている。
【０１０１】
そのため、第１の実施形態のストロボ装置では、レンズ部３ｅの前側壁（図３（Ｂ）の下側の壁）から射出せしめられる光と軸線Ｌｅとがなす角度θｅ４を、レンズ部３ｅの後側壁（図３（Ｂ）の上側の壁）に入射する光と軸線Ｌｅとがなす角度θｅ３よりも小さくすることができる。つまり、第１の実施形態のストロボ装置によれば、リフレクタ２（図１参照）からの反射光のうち、導光レンズ３のレンズ部３ｅの近傍から、ストロボ装置の主光軸線Ｌ（図１参照）と平行な軸線Ｌｅに対して大きい角度θｅ３をなして右前側に向かって進む光を、ストロボ装置の照射方向（画角内）に照射することができる。
【０１０２】
また、第１の実施形態のストロボ装置では、レンズ部３ｅの右側壁３ｅ２がストロボ装置の主光軸線Ｌおよび軸線Ｌｅに平行な鉛直面によって構成されている場合よりも、レンズ部３ｅの右側壁３ｅ２からの反射光がレンズ部３ｅの前側壁（図３（Ｂ）の下側の壁）に入射する角度（入射角）を小さくすることができる。そのため、第１の実施形態のストロボ装置によれば、レンズ部３ｅの右側壁３ｅ２からの反射光が大きい入射角でレンズ部３ｅの前側壁に入射するのに伴って、レンズ部３ｅの右側壁３ｅ２からの反射光がレンズ部３ｅの前側壁によって全反射され、ストロボ装置の照射方向（画角内）に照射されなくなってしまうおそれを低減することができる。
【０１０３】
更に、第１の実施形態のストロボ装置では、図３（Ｄ）に示すように、リフレクタ２（図１参照）からの反射光のうち、導光レンズ３のレンズ部３ｆの近傍から、ストロボ装置の主光軸線Ｌ（図１参照）と平行な軸線Ｌｆに対して大きい角度θｆ３をなして右前側（図３（Ｄ）の右上側）に向かって進む光が、レンズ部３ｆの後側壁（図３（Ｄ）の下側の壁）に入射し、レンズ部３ｆの後側壁において屈折する。次いで、レンズ部３ｆの後側壁において屈折した光が、レンズ部３ｆの右側壁３ｆ２によって全反射される。次いで、レンズ部３ｆの右側壁３ｆ２からの反射光が、レンズ部３ｆの前側壁（図３（Ｄ）の上側の壁）において屈折し、レンズ部３ｆの前側壁から射出せしめられる。
【０１０４】
詳細には、第１の実施形態のストロボ装置では、図３（Ｄ）に示すように、レンズ部３ｆの右側壁３ｆ２が、ストロボ装置の主光軸線Ｌ（図１参照）および軸線Ｌｆに対して右側に広がりながら前側（図３（Ｄ）の上側）に延びている。更に、上述したように、レンズ部３ｆの後側壁（図３（Ｄ）の下側の壁）が、例えばストロボ装置の主光軸線Ｌおよび軸線Ｌｆに対して垂直な面によって構成され、レンズ部３ｆの前側壁（図３（Ｄ）の上側の壁）が、例えばストロボ装置の主光軸線Ｌおよび軸線Ｌｆに対して垂直な面によって構成されている。
【０１０５】
そのため、第１の実施形態のストロボ装置では、レンズ部３ｆの前側壁（図３（Ｄ）の上側の壁）から射出せしめられる光と軸線Ｌｆとがなす角度θｆ４を、レンズ部３ｆの後側壁（図３（Ｄ）の下側の壁）に入射する光と軸線Ｌｆとがなす角度θｆ３よりも小さくすることができる。つまり、第１の実施形態のストロボ装置によれば、リフレクタ２（図１参照）からの反射光のうち、導光レンズ３のレンズ部３ｆの近傍から、ストロボ装置の主光軸線Ｌ（図１参照）と平行な軸線Ｌｆに対して大きい角度θｆ３をなして右前側に向かって進む光を、ストロボ装置の照射方向（画角内）に照射することができる。
【０１０６】
また、第１の実施形態のストロボ装置では、レンズ部３ｆの右側壁３ｆ２がストロボ装置の主光軸線Ｌおよび軸線Ｌｆに平行な鉛直面によって構成されている場合よりも、レンズ部３ｆの右側壁３ｆ２からの反射光がレンズ部３ｆの前側壁（図３（Ｄ）の上側の壁）に入射する角度（入射角）を小さくすることができる。そのため、第１の実施形態のストロボ装置によれば、レンズ部３ｆの右側壁３ｆ２からの反射光が大きい入射角でレンズ部３ｆの前側壁に入射するのに伴って、レンズ部３ｆの右側壁３ｆ２からの反射光がレンズ部３ｆの前側壁によって全反射され、ストロボ装置の照射方向（画角内）に照射されなくなってしまうおそれを低減することができる。
【０１０７】
更に、第１の実施形態のストロボ装置では、図３（Ｂ）に示すように、リフレクタ２（図１参照）からの反射光のうち、導光レンズ３のレンズ部３ｇの近傍から、ストロボ装置の主光軸線Ｌ（図１参照）と平行な軸線Ｌｇに対して大きい角度θｇ３をなして右前側（図３（Ｂ）の右下側）に向かって進む光が、レンズ部３ｇの後側壁（図３（Ｂ）の上側の壁）に入射し、レンズ部３ｇの後側壁において屈折する。次いで、レンズ部３ｇの後側壁において屈折した光が、レンズ部３ｇの右側壁３ｇ２によって全反射される。次いで、レンズ部３ｇの右側壁３ｇ２からの反射光が、レンズ部３ｇの前側壁（図３（Ｂ）の下側の壁）において屈折し、レンズ部３ｇの前側壁から射出せしめられる。
【０１０８】
詳細には、第１の実施形態のストロボ装置では、図３（Ｂ）に示すように、レンズ部３ｇの右側壁３ｇ２が、ストロボ装置の主光軸線Ｌ（図１参照）および軸線Ｌｇに対して右側に広がりながら前側（図３（Ｂ）の下側）に延びている。更に、上述したように、レンズ部３ｇの後側壁（図３（Ｂ）の上側の壁）が、例えばストロボ装置の主光軸線Ｌおよび軸線Ｌｇに対して垂直な面によって構成され、レンズ部３ｇの前側壁（図３（Ｂ）の下側の壁）が、例えばストロボ装置の主光軸線Ｌおよび軸線Ｌｇに対して垂直な面によって構成されている。
【０１０９】
そのため、第１の実施形態のストロボ装置では、レンズ部３ｇの前側壁（図３（Ｂ）の下側の壁）から射出せしめられる光と軸線Ｌｇとがなす角度θｇ４を、レンズ部３ｇの後側壁（図３（Ｂ）の上側の壁）に入射する光と軸線Ｌｇとがなす角度θｇ３よりも小さくすることができる。つまり、第１の実施形態のストロボ装置によれば、リフレクタ２（図１参照）からの反射光のうち、導光レンズ３のレンズ部３ｇの近傍から、ストロボ装置の主光軸線Ｌ（図１参照）と平行な軸線Ｌｇに対して大きい角度θｇ３をなして右前側に向かって進む光を、ストロボ装置の照射方向（画角内）に照射することができる。
【０１１０】
また、第１の実施形態のストロボ装置では、レンズ部３ｇの右側壁３ｇ２がストロボ装置の主光軸線Ｌおよび軸線Ｌｇに平行な鉛直面によって構成されている場合よりも、レンズ部３ｇの右側壁３ｇ２からの反射光がレンズ部３ｇの前側壁（図３（Ｂ）の下側の壁）に入射する角度（入射角）を小さくすることができる。そのため、第１の実施形態のストロボ装置によれば、レンズ部３ｇの右側壁３ｇ２からの反射光が大きい入射角でレンズ部３ｇの前側壁に入射するのに伴って、レンズ部３ｇの右側壁３ｇ２からの反射光がレンズ部３ｇの前側壁によって全反射され、ストロボ装置の照射方向（画角内）に照射されなくなってしまうおそれを低減することができる。
【０１１１】
更に、第１の実施形態のストロボ装置では、図３（Ｄ）に示すように、リフレクタ２（図１参照）からの反射光のうち、導光レンズ３のレンズ部３ｈの近傍から、ストロボ装置の主光軸線Ｌ（図１参照）と平行な軸線Ｌｈに対して大きい角度θｈ３をなして右前側（図３（Ｄ）の右上側）に向かって進む光が、レンズ部３ｈの後側壁（図３（Ｄ）の下側の壁）に入射し、レンズ部３ｈの後側壁において屈折する。次いで、レンズ部３ｈの後側壁において屈折した光が、レンズ部３ｈの右側壁３ｈ２によって全反射される。次いで、レンズ部３ｈの右側壁３ｈ２からの反射光が、レンズ部３ｈの前側壁（図３（Ｄ）の上側の壁）において屈折し、レンズ部３ｈの前側壁から射出せしめられる。
【０１１２】
詳細には、第１の実施形態のストロボ装置では、図３（Ｄ）に示すように、レンズ部３ｈの右側壁３ｈ２が、ストロボ装置の主光軸線Ｌ（図１参照）および軸線Ｌｈに対して右側に広がりながら前側（図３（Ｄ）の上側）に延びている。更に、上述したように、レンズ部３ｈの後側壁（図３（Ｄ）の下側の壁）が、例えばストロボ装置の主光軸線Ｌおよび軸線Ｌｈに対して垂直な面によって構成され、レンズ部３ｈの前側壁（図３（Ｄ）の上側の壁）が、例えばストロボ装置の主光軸線Ｌおよび軸線Ｌｈに対して垂直な面によって構成されている。
【０１１３】
そのため、第１の実施形態のストロボ装置では、レンズ部３ｈの前側壁（図３（Ｄ）の上側の壁）から射出せしめられる光と軸線Ｌｈとがなす角度θｈ４を、レンズ部３ｈの後側壁（図３（Ｄ）の下側の壁）に入射する光と軸線Ｌｈとがなす角度θｈ３よりも小さくすることができる。つまり、第１の実施形態のストロボ装置によれば、リフレクタ２（図１参照）からの反射光のうち、導光レンズ３のレンズ部３ｈの近傍から、ストロボ装置の主光軸線Ｌ（図１参照）と平行な軸線Ｌｈに対して大きい角度θｈ３をなして右前側に向かって進む光を、ストロボ装置の照射方向（画角内）に照射することができる。
【０１１４】
また、第１の実施形態のストロボ装置では、レンズ部３ｈの右側壁３ｈ２がストロボ装置の主光軸線Ｌおよび軸線Ｌｈに平行な鉛直面によって構成されている場合よりも、レンズ部３ｈの右側壁３ｈ２からの反射光がレンズ部３ｈの前側壁（図３（Ｄ）の上側の壁）に入射する角度（入射角）を小さくすることができる。そのため、第１の実施形態のストロボ装置によれば、レンズ部３ｈの右側壁３ｈ２からの反射光が大きい入射角でレンズ部３ｈの前側壁に入射するのに伴って、レンズ部３ｈの右側壁３ｈ２からの反射光がレンズ部３ｈの前側壁によって全反射され、ストロボ装置の照射方向（画角内）に照射されなくなってしまうおそれを低減することができる。
【０１１５】
更に、第１の実施形態のストロボ装置では、図３（Ｂ）に示すように、リフレクタ２（図１参照）からの反射光のうち、導光レンズ３のレンズ部３ｉの近傍から、ストロボ装置の主光軸線Ｌ（図１参照）と平行な軸線Ｌｉに対して大きい角度θｉ３をなして右前側（図３（Ｂ）の右下側）に向かって進む光が、レンズ部３ｉの後側壁（図３（Ｂ）の上側の壁）に入射し、レンズ部３ｉの後側壁において屈折する。次いで、レンズ部３ｉの後側壁において屈折した光が、レンズ部３ｉの右側壁３ｉ２によって全反射される。次いで、レンズ部３ｉの右側壁３ｉ２からの反射光が、レンズ部３ｉの前側壁（図３（Ｂ）の下側の壁）において屈折し、レンズ部３ｉの前側壁から射出せしめられる。
【０１１６】
詳細には、第１の実施形態のストロボ装置では、図３（Ｂ）に示すように、レンズ部３ｉの右側壁３ｉ２が、ストロボ装置の主光軸線Ｌ（図１参照）および軸線Ｌｉに対して右側に広がりながら前側（図３（Ｂ）の下側）に延びている。更に、上述したように、レンズ部３ｉの後側壁（図３（Ｂ）の上側の壁）が、例えばストロボ装置の主光軸線Ｌおよび軸線Ｌｉに対して垂直な面によって構成され、レンズ部３ｉの前側壁（図３（Ｂ）の下側の壁）が、例えばストロボ装置の主光軸線Ｌおよび軸線Ｌｉに対して垂直な面によって構成されている。
【０１１７】
そのため、第１の実施形態のストロボ装置では、レンズ部３ｉの前側壁（図３（Ｂ）の下側の壁）から射出せしめられる光と軸線Ｌｉとがなす角度θｉ４を、レンズ部３ｉの後側壁（図３（Ｂ）の上側の壁）に入射する光と軸線Ｌｉとがなす角度θｉ３よりも小さくすることができる。つまり、第１の実施形態のストロボ装置によれば、リフレクタ２（図１参照）からの反射光のうち、導光レンズ３のレンズ部３ｉの近傍から、ストロボ装置の主光軸線Ｌ（図１参照）と平行な軸線Ｌｉに対して大きい角度θｉ３をなして右前側に向かって進む光を、ストロボ装置の照射方向（画角内）に照射することができる。
【０１１８】
また、第１の実施形態のストロボ装置では、レンズ部３ｉの右側壁３ｉ２がストロボ装置の主光軸線Ｌおよび軸線Ｌｉに平行な鉛直面によって構成されている場合よりも、レンズ部３ｉの右側壁３ｉ２からの反射光がレンズ部３ｉの前側壁（図３（Ｂ）の下側の壁）に入射する角度（入射角）を小さくすることができる。そのため、第１の実施形態のストロボ装置によれば、レンズ部３ｉの右側壁３ｉ２からの反射光が大きい入射角でレンズ部３ｉの前側壁に入射するのに伴って、レンズ部３ｉの右側壁３ｉ２からの反射光がレンズ部３ｉの前側壁によって全反射され、ストロボ装置の照射方向（画角内）に照射されなくなってしまうおそれを低減することができる。
【０１１９】
つまり、第１の実施形態のストロボ装置によれば、ストロボ装置の前後方向に対して大きい角度をなしてリフレクタ２によって左前側に反射された反射光が、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１に当たることなく、ストロボ装置の照射方向（画角内）に照射されなくなってしまうおそれを低減することができる。
【０１２０】
また、第１の実施形態のストロボ装置によれば、ストロボ装置の前後方向に対して大きい角度をなしてリフレクタ２によって右前側に反射された反射光が、導光レンズ３のレンズ部３ａ，３ｂ，３ｃ，３ｄ，３ｅ，３ｆ，３ｇ，３ｈ，３ｉの右側壁３ａ２，３ｂ２，３ｃ２，３ｄ２，３ｅ２，３ｆ２，３ｇ２，３ｈ２，３ｉ２に当たることなく、ストロボ装置の照射方向（画角内）に照射されなくなってしまうおそれを低減することができる。
【０１２１】
更に、第１の実施形態のストロボ装置では、図１に示すように（詳細には、図１（Ｄ）に示すように）、光源１から放射された直射光の一部が、導光レンズ３によって導光され、ストロボ装置の照射方向（図１（Ｄ）の右側）に照射される。
【０１２２】
詳細には、第１の実施形態のストロボ装置では、ストロボ装置の前後方向に対して大きい角度をなして光源１から左前側に放射された直射光が、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１によって反射され、ストロボ装置の照射方向（画角内）に照射される（図１、図３（Ａ）および図３（Ｃ）参照）。
【０１２３】
更に、第１の実施形態のストロボ装置では、ストロボ装置の前後方向に対して大きい角度をなして光源１から右前側に放射された直射光が、導光レンズ３のレンズ部３ａ，３ｂ，３ｃ，３ｄ，３ｅ，３ｆ，３ｇ，３ｈ，３ｉの右側壁３ａ２，３ｂ２，３ｃ２，３ｄ２，３ｅ２，３ｆ２，３ｇ２，３ｈ２，３ｉ２によって反射され、ストロボ装置の照射方向（画角内）に照射される（図１、図３（Ｂ）および図３（Ｄ）参照）。
【０１２４】
そのため、第１の実施形態のストロボ装置によれば、ストロボ装置の前後方向に対して大きい角度をなして光源１から左前側に放射された直射光が、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１に当たることなく、ストロボ装置の照射方向（画角内）に照射されなくなってしまうおそれを低減することができる。
【０１２５】
また、第１の実施形態のストロボ装置によれば、ストロボ装置の前後方向に対して大きい角度をなして光源１から右前側に放射された直射光が、導光レンズ３のレンズ部３ａ，３ｂ，３ｃ，３ｄ，３ｅ，３ｆ，３ｇ，３ｈ，３ｉの右側壁３ａ２，３ｂ２，３ｃ２，３ｄ２，３ｅ２，３ｆ２，３ｇ２，３ｈ２，３ｉ２に当たることなく、ストロボ装置の照射方向（画角内）に照射されなくなってしまうおそれを低減することができる。
【０１２６】
更に、第１の実施形態のストロボ装置では、図２（Ａ）に示すように、レンズ部３ａのうち右側壁３ａ２が存在しない部分と、レンズ部３ｂのうち左側壁３ｂ１が存在しない部分とを互いに接続することにより、左右方向に隣接する２個のレンズ部３ａ，３ｂが一体的に形成されている。更に、レンズ部３ｂのうち右側壁３ｂ２が存在しない部分と、レンズ部３ｃのうち左側壁３ｃ１が存在しない部分とを互いに接続することにより、左右方向に隣接する２個のレンズ部３ｂ，３ｃが一体的に形成されている。また、レンズ部３ｃのうち右側壁３ｃ２が存在しない部分と、レンズ部３ｄのうち左側壁３ｄ１が存在しない部分とを互いに接続することにより、左右方向に隣接する２個のレンズ部３ｃ，３ｄが一体的に形成されている。更に、レンズ部３ｄのうち右側壁３ｄ２が存在しない部分と、レンズ部３ｅのうち左側壁３ｅ１が存在しない部分とを互いに接続することにより、左右方向に隣接する２個のレンズ部３ｄ，３ｅが一体的に形成されている。
【０１２７】
また、レンズ部３ｅのうち右側壁３ｅ２が存在しない部分と、レンズ部３ｆのうち左側壁３ｆ１が存在しない部分とを互いに接続することにより、左右方向に隣接する２個のレンズ部３ｅ，３ｆが一体的に形成されている。更に、レンズ部３ｆのうち右側壁３ｆ２が存在しない部分と、レンズ部３ｇのうち左側壁３ｇ１が存在しない部分とを互いに接続することにより、左右方向に隣接する２個のレンズ部３ｆ，３ｇが一体的に形成されている。また、レンズ部３ｇのうち右側壁３ｇ２が存在しない部分と、レンズ部３ｈのうち左側壁３ｈ１が存在しない部分とを互いに接続することにより、左右方向に隣接する２個のレンズ部３ｇ，３ｈが一体的に形成されている。更に、レンズ部３ｈのうち右側壁３ｈ２が存在しない部分と、レンズ部３ｉのうち左側壁３ｉ１が存在しない部分とを互いに接続することにより、左右方向に隣接する２個のレンズ部３ｈ，３ｉが一体的に形成されている。
【０１２８】
その結果、第１の実施形態のストロボ装置では、左右方向に配列されたすべてのレンズ部３ａ，３ｂ，３ｃ，３ｄ，３ｅ，３ｆ，３ｇ，３ｈ，３ｉが一体的に形成されている。詳細には、第１の実施形態のストロボ装置では、レンズ部３ａ，３ｂ，３ｃ，３ｄ，３ｅ，３ｆ，３ｇ，３ｈ，３ｉを有する導光レンズ３が例えば成形によって一体的に形成されている。
【０１２９】
換言すれば、第１の実施形態のストロボ装置では、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１および右側壁３ａ２，３ｂ２，３ｃ２，３ｄ２，３ｅ２，３ｆ２，３ｇ２，３ｈ２，３ｉ２が全反射面として利用される。そのため、第１の実施形態のストロボ装置によれば、ストロボ装置の照射方向（画角内）に照射される光の割合、つまり、光の有効利用率を向上させることができる。
【０１３０】
第１の実施形態のストロボ装置では、図２および図３に示すように、導光レンズ３のレンズ部３ａ，３ｂ，３ｃ，３ｄ，３ｅ，３ｆ，３ｇ，３ｈ，３ｉの後側壁（図３（Ａ）および図３（Ｂ）の上側の壁、図３（Ｃ）および図３（Ｄ）の下側の壁）が例えば単一の平面によって構成されているが、第２の実施形態のストロボ装置では、代わりに、導光レンズ３のレンズ部３ａ，３ｂ，３ｃ，３ｄ，３ｅ，３ｆ，３ｇ，３ｈ，３ｉの後側壁（図３（Ａ）および図３（Ｂ）の上側の壁、図３（Ｃ）および図３（Ｄ）の下側の壁）を、単一の凹状面によって構成したり、単一の凸状面によって構成したり、複数の平面を組み合わせることによって構成したり、複数の曲面を組み合わせることによって構成したり、複数の平面および曲面を組み合わせることによって構成したりすることも可能である。
【０１３１】
第１の実施形態のストロボ装置では、図２および図３に示すように、導光レンズ３のレンズ部３ａ，３ｂ，３ｃ，３ｄ，３ｅ，３ｆ，３ｇ，３ｈ，３ｉの前側壁（図３（Ａ）および図３（Ｂ）の下側の壁、図３（Ｃ）および図３（Ｄ）の上側の壁）が例えば単一の平面によって構成されているが、第３の実施形態のストロボ装置では、代わりに、導光レンズ３のレンズ部３ａ，３ｂ，３ｃ，３ｄ，３ｅ，３ｆ，３ｇ，３ｈ，３ｉの前側壁（図３（Ａ）および図３（Ｂ）の下側の壁、図３（Ｃ）および図３（Ｄ）の上側の壁）を、単一の凹状面によって構成したり、単一の凸状面によって構成したり、複数の平面を組み合わせることによって構成したり、複数の曲面を組み合わせることによって構成したり、複数の平面および曲面を組み合わせることによって構成したりすることも可能である。
【０１３２】
第１の実施形態のストロボ装置では、図２および図３に示すように、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１のそれぞれが例えば単一の平面によって構成されているが、第４の実施形態のストロボ装置では、代わりに、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１のそれぞれを、単一の凹状面によって構成したり、単一の凸状面によって構成したり、複数の平面を組み合わせることによって構成したり、複数の曲面を組み合わせることによって構成したり、複数の平面および曲面を組み合わせることによって構成したりすることも可能である。
【０１３３】
第１の実施形態のストロボ装置では、図２および図３に示すように、導光レンズ３のレンズ部３ａ，３ｂ，３ｃ，３ｄ，３ｅ，３ｆ，３ｇ，３ｈ，３ｉの右側壁３ａ２，３ｂ２，３ｃ２，３ｄ２，３ｅ２，３ｆ２，３ｇ２，３ｈ２，３ｉ２のそれぞれが例えば単一の平面によって構成されているが、第４の実施形態のストロボ装置では、代わりに、導光レンズ３のレンズ部３ａ，３ｂ，３ｃ，３ｄ，３ｅ，３ｆ，３ｇ，３ｈ，３ｉの右側壁３ａ２，３ｂ２，３ｃ２，３ｄ２，３ｅ２，３ｆ２，３ｇ２，３ｈ２，３ｉ２のそれぞれを、単一の凹状面によって構成したり、単一の凸状面によって構成したり、複数の平面を組み合わせることによって構成したり、複数の曲面を組み合わせることによって構成したり、複数の平面および曲面を組み合わせることによって構成したりすることも可能である。
【０１３４】
第４の実施形態のストロボ装置によれば、導光レンズ３のレンズ部３ａ，３ｂ，３ｃ，３ｄ，３ｅ，３ｆ，３ｇ，３ｈ，３ｉの前側壁（図３（Ａ）および図３（Ｂ）の下側の壁、図３（Ｃ）および図３（Ｄ）の上側の壁）に例えばフレネルなどのようなレンズカット部を設ける必要なく、導光レンズ３のレンズ部３ａ，３ｂ，３ｃ，３ｄ，３ｅ，３ｆ，３ｇ，３ｈ，３ｉの前側壁からストロボ装置の照射方向に照射される光の配光制御を行うことができる。
【０１３５】
第１の実施形態のストロボ装置では、導光レンズ３が無色透明な材料によって形成されているが、第５の実施形態のストロボ装置では、代わりに、有色透明な材料によって導光レンズ３を形成したり、無色透明な材料によって形成された導光レンズ３を着色したりすることも可能である。第５の実施形態のストロボ装置によれば、導光レンズ３がフィルターの役割を有することができ、ストロボ装置の照射方向に照射される光の色温度を変更することができる。
【０１３６】
以下、本発明のストロボ装置の第６の実施形態について説明する。第６の実施形態のストロボ装置は、後述する点を除き、上述した第１の実施形態のストロボ装置とほぼ同様に構成されている。従って、第６の実施形態のストロボ装置によれば、後述する点を除き、上述した第１の実施形態とほぼ同様の効果を奏することができる。
【０１３７】
図４は第６の実施形態のストロボ装置を示した図である。詳細には、図４（Ａ）は第６の実施形態のストロボ装置を右前側かつ上側から見た斜視図、図４（Ｂ）は第６の実施形態のストロボ装置の正面図、図４（Ｃ）は第６の実施形態のストロボ装置の右側面図、図４（Ｄ）は図４（Ｂ）のＡ−Ａ線に沿った断面図である。
【０１３８】
図５は図４に示した第６の実施形態のストロボ装置の導光レンズ３の部品図である。詳細には、図５（Ａ）は第６の実施形態のストロボ装置の導光レンズ３の正面図、図５（Ｂ）は第６の実施形態のストロボ装置の導光レンズ３を右前側かつ上側から見た斜視図、図５（Ｃ）は第６の実施形態のストロボ装置の導光レンズ３の平面図、図５（Ｄ）は図５（Ａ）のＢ−Ｂ線に沿った断面図、図５（Ｅ）は第６の実施形態のストロボ装置の導光レンズ３の底面図である。図５（Ａ）のＣ−Ｃ線に沿った断面図は図５（Ｄ）と同様になる。図５（Ｆ）は第６の実施形態のストロボ装置の導光レンズ３の右側面図、図５（Ｇ）は図５（Ａ）のＤ−Ｄ線に沿った断面図、図５（Ｈ）は第６の実施形態のストロボ装置の導光レンズ３の左側面図、図５（Ｉ）は図５（Ａ）のＥ−Ｅ線に沿った断面図である。
【０１３９】
第６の実施形態のストロボ装置では、図５（Ａ）のＢ−Ｂ線に沿った断面内を進む光の光路が、図３（Ａ）および図３（Ｂ）に示した光路と同様になる。また、図５（Ａ）のＣ−Ｃ線に沿った断面内を進む光の光路が、図３（Ａ）および図３（Ｂ）に示した光路と同様になる。
【０１４０】
第１の実施形態のストロボ装置では、図２（Ａ）および図２（Ｂ）に示すように、レンズ部３ａの下側部分に左側壁３ａ１および右側壁３ａ２が設けられていないが、第６の実施形態のストロボ装置では、図５（Ａ）および図５（Ｂ）に示すように、レンズ部３ａの下側部分に左側壁３ａ１および右側壁３ｂ１が設けられている。
【０１４１】
第１の実施形態のストロボ装置では、図２（Ａ）および図２（Ｂ）に示すように、レンズ部３ｂの下側部分に左側壁３ｂ１および右側壁３ｂ２が設けられているが、第６の実施形態のストロボ装置では、図５（Ａ）および図５（Ｂ）に示すように、レンズ部３ｂの下側部分に左側壁３ｂ１および右側壁３ｂ２が設けられていない。
【０１４２】
第１の実施形態のストロボ装置では、図２（Ａ）および図２（Ｂ）に示すように、レンズ部３ｃの下側部分に左側壁３ｃ１および右側壁３ｃ２が設けられていないが、第６の実施形態のストロボ装置では、図５（Ａ）および図５（Ｂ）に示すように、レンズ部３ｃの下側部分に左側壁３ｃ１および右側壁３ｃ２が設けられている。
【０１４３】
第１の実施形態のストロボ装置では、図２（Ａ）および図２（Ｂ）に示すように、レンズ部３ｄの下側部分に左側壁３ｄ１および右側壁３ｄ２が設けられているが、第６の実施形態のストロボ装置では、図５（Ａ）および図５（Ｂ）に示すように、レンズ部３ｄの下側部分に左側壁３ｄ１および右側壁３ｄ２が設けられていない。
【０１４４】
第１の実施形態のストロボ装置では、図２（Ａ）および図２（Ｂ）に示すように、レンズ部３ｅの下側部分に左側壁３ｅ１および右側壁３ｅ２が設けられていないが、第６の実施形態のストロボ装置では、図５（Ａ）および図５（Ｂ）に示すように、レンズ部３ｅの下側部分に左側壁３ｅ１および右側壁３ｅ２が設けられている。
【０１４５】
第１の実施形態のストロボ装置では、図２（Ａ）および図２（Ｂ）に示すように、レンズ部３ｆの下側部分に左側壁３ｆ１および右側壁３ｆ２が設けられているが、第６の実施形態のストロボ装置では、図５（Ａ）および図５（Ｂ）に示すように、レンズ部３ｆの下側部分に左側壁３ｆ１および右側壁３ｆ２が設けられていない。
【０１４６】
第１の実施形態のストロボ装置では、図２（Ａ）および図２（Ｂ）に示すように、レンズ部３ｇの下側部分に左側壁３ｇ１および右側壁３ｇ２が設けられていないが、第６の実施形態のストロボ装置では、図５（Ａ）および図５（Ｂ）に示すように、レンズ部３ｇの下側部分に左側壁３ｇ１および右側壁３ｇ２が設けられている。
【０１４７】
第１の実施形態のストロボ装置では、図２（Ａ）および図２（Ｂ）に示すように、レンズ部３ｈの下側部分に左側壁３ｈ１および右側壁３ｈ２が設けられているが、第６の実施形態のストロボ装置では、図５（Ａ）および図５（Ｂ）に示すように、レンズ部３ｈの下側部分に左側壁３ｈ１および右側壁３ｈ２が設けられていない。
【０１４８】
第１の実施形態のストロボ装置では、図２（Ａ）および図２（Ｂ）に示すように、レンズ部３ｉの下側部分に左側壁３ｉ１および右側壁３ｉ２が設けられていないが、第６の実施形態のストロボ装置では、図５（Ａ）および図５（Ｂ）に示すように、レンズ部３ｉの下側部分に左側壁３ｉ１および右側壁３ｉ２が設けられている。
【０１４９】
以下、本発明のストロボ装置の第７の実施形態について説明する。第７の実施形態のストロボ装置は、後述する点を除き、上述した第１の実施形態のストロボ装置とほぼ同様に構成されている。従って、第７の実施形態のストロボ装置によれば、後述する点を除き、上述した第１の実施形態とほぼ同様の効果を奏することができる。
【０１５０】
図６は第７の実施形態のストロボ装置を示した図である。詳細には、図６（Ａ）は第７の実施形態のストロボ装置を右前側かつ上側から見た斜視図、図６（Ｂ）は第７の実施形態のストロボ装置の正面図、図６（Ｃ）は第７の実施形態のストロボ装置の右側面図、図６（Ｄ）は図６（Ｂ）のＡ−Ａ線に沿った断面図である。
【０１５１】
図７は図６に示した第７の実施形態のストロボ装置の導光レンズ３の部品図である。詳細には、図７（Ａ）は第７の実施形態のストロボ装置の導光レンズ３の正面図、図７（Ｂ）は第７の実施形態のストロボ装置の導光レンズ３を右前側かつ上側から見た斜視図、図７（Ｃ）は第７の実施形態のストロボ装置の導光レンズ３の右側面図、図７（Ｄ）は第７の実施形態のストロボ装置の導光レンズ３の後側面図、図７（Ｅ）は第７の実施形態のストロボ装置の導光レンズ３の平面図、図７（Ｆ）は図７（Ｄ）のＢ−Ｂ線に沿った断面図、図７（Ｇ）は第７の実施形態のストロボ装置の導光レンズ３の底面図、図７（Ｈ）は図７（Ｄ）のＣ−Ｃ線に沿った断面図、図７（Ｉ）は図７（Ｄ）のＤ−Ｄ線に沿った断面図、図７（Ｊ）は第７の実施形態のストロボ装置の導光レンズ３の左側面図、図７（Ｋ）は図７（Ｄ）のＥ−Ｅ線に沿った断面図である。
【０１５２】
第７の実施形態のストロボ装置では、図７（Ｄ）のＢ−Ｂ線に沿った断面内を進む光の光路が、図３（Ａ）および図３（Ｂ）に示した光路とほぼ同様になる。また、図７（Ｄ）のＣ−Ｃ線に沿った断面内を進む光の光路が、図３（Ｃ）および図３（Ｄ）に示した光路とほぼ同様になる。
【０１５３】
第１の実施形態のストロボ装置では、図２に示すように、レンズ部３ａ，３ｂ，３ｃ，３ｄ，３ｅ，３ｆ，３ｇ，３ｈ，３ｉの前側（図２（Ｃ）の下側、図２（Ｅ）の上側、図２（Ｇ）の左側、図２（Ｉ）の右側）にアウターレンズ部が設けられていないが、第７の実施形態のストロボ装置では、図７に示すように、レンズ部３ａ，３ｂ，３ｃ，３ｄ，３ｅ，３ｆ，３ｇ，３ｈ，３ｉの前側（図７（Ｃ）の左側、図７（Ｅ）の下側、図７（Ｇ）の上側、図７（Ｊ）の右側）にアウターレンズ部３ｊが設けられている。
【０１５４】
詳細には、第１の実施形態のストロボ装置では、図２に示すように、レンズ部３ａの一部分とレンズ部３ｂの一部分とが互いに接続されているが、第７の実施形態のストロボ装置では、図７に示すように、レンズ部３ａとレンズ部３ｂとが直接接続されるのではなく、レンズ部３ａ，３ｂのそれぞれがアウターレンズ部３ｊに接続されている。
【０１５５】
更に、第１の実施形態のストロボ装置では、図２に示すように、レンズ部３ｂの一部分とレンズ部３ｃの一部分とが互いに接続されているが、第７の実施形態のストロボ装置では、図７に示すように、レンズ部３ｂとレンズ部３ｃとが直接接続されるのではなく、レンズ部３ｂ，３ｃのそれぞれがアウターレンズ部３ｊに接続されている。
【０１５６】
また、第１の実施形態のストロボ装置では、図２に示すように、レンズ部３ｃの一部分とレンズ部３ｄの一部分とが互いに接続されているが、第７の実施形態のストロボ装置では、図７に示すように、レンズ部３ｃとレンズ部３ｄとが直接接続されるのではなく、レンズ部３ｃ，３ｄのそれぞれがアウターレンズ部３ｊに接続されている。
【０１５７】
更に、第１の実施形態のストロボ装置では、図２に示すように、レンズ部３ｄの一部分とレンズ部３ｅの一部分とが互いに接続されているが、第７の実施形態のストロボ装置では、図７に示すように、レンズ部３ｄとレンズ部３ｅとが直接接続されるのではなく、レンズ部３ｄ，３ｅのそれぞれがアウターレンズ部３ｊに接続されている。
【０１５８】
また、第１の実施形態のストロボ装置では、図２に示すように、レンズ部３ｅの一部分とレンズ部３ｆの一部分とが互いに接続されているが、第７の実施形態のストロボ装置では、図７に示すように、レンズ部３ｅとレンズ部３ｆとが直接接続されるのではなく、レンズ部３ｅ，３ｆのそれぞれがアウターレンズ部３ｊに接続されている。
【０１５９】
更に、第１の実施形態のストロボ装置では、図２に示すように、レンズ部３ｆの一部分とレンズ部３ｇの一部分とが互いに接続されているが、第７の実施形態のストロボ装置では、図７に示すように、レンズ部３ｆとレンズ部３ｇとが直接接続されるのではなく、レンズ部３ｆ，３ｇのそれぞれがアウターレンズ部３ｊに接続されている。
【０１６０】
また、第１の実施形態のストロボ装置では、図２に示すように、レンズ部３ｇの一部分とレンズ部３ｈの一部分とが互いに接続されているが、第７の実施形態のストロボ装置では、図７に示すように、レンズ部３ｇとレンズ部３ｈとが直接接続されるのではなく、レンズ部３ｇ，３ｈのそれぞれがアウターレンズ部３ｊに接続されている。
【０１６１】
更に、第１の実施形態のストロボ装置では、図２に示すように、レンズ部３ｈの一部分とレンズ部３ｉの一部分とが互いに接続されているが、第７の実施形態のストロボ装置では、図７に示すように、レンズ部３ｈとレンズ部３ｉとが直接接続されるのではなく、レンズ部３ｈ，３ｉのそれぞれがアウターレンズ部３ｊに接続されている。
【０１６２】
その結果、第７の実施形態のストロボ装置では、第１の実施形態のストロボ装置と同様に、左右方向に配列されたすべてのレンズ部３ａ，３ｂ，３ｃ，３ｄ，３ｅ，３ｆ，３ｇ，３ｈ，３ｉが一体的に形成されている。詳細には、第７の実施形態のストロボ装置では、レンズ部３ａ，３ｂ，３ｃ，３ｄ，３ｅ，３ｆ，３ｇ，３ｈ，３ｉとアウターレンズ部３ｊとを有する導光レンズ３が例えば成形によって一体的に形成されている。
【０１６３】
第７の実施形態のストロボ装置では、第１の実施形態のストロボ装置よりも、レンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１および右側壁３ａ２，３ｂ２，３ｃ２，３ｄ２，３ｅ２，３ｆ２，３ｇ２，３ｈ２，３ｉ２の総表面積が大きくなる。そのため、第７の実施形態のストロボ装置によれば、第１の実施形態のストロボ装置よりも、ストロボ装置の前後方向に対して大きい角度をなして左前側に進む光が、導光レンズ３のレンズ部３ａ，３ｂ，３ｃ，３ｄ，３ｅ，３ｆ，３ｇ，３ｈ，３ｉの左側壁３ａ１，３ｂ１，３ｃ１，３ｄ１，３ｅ１，３ｆ１，３ｇ１，３ｈ１，３ｉ１に当たることなく、ストロボ装置の照射方向（画角内）に照射されなくなってしまうおそれを低減することができ、ストロボ装置の前後方向に対して大きい角度をなして右前側に進む光が、導光レンズ３のレンズ部３ａ，３ｂ，３ｃ，３ｄ，３ｅ，３ｆ，３ｇ，３ｈ，３ｉの右側壁３ａ２，３ｂ２，３ｃ２，３ｄ２，３ｅ２，３ｆ２，３ｇ２，３ｈ２，３ｉ２に当たることなく、ストロボ装置の照射方向（画角内）に照射されなくなってしまうおそれを低減することができる。
【０１６４】
以下、本発明のストロボ装置の第８の実施形態について説明する。第８の実施形態のストロボ装置は、後述する点を除き、上述した第１の実施形態のストロボ装置とほぼ同様に構成されている。従って、第８の実施形態のストロボ装置によれば、後述する点を除き、上述した第１の実施形態とほぼ同様の効果を奏することができる。
【０１６５】
図８は第８の実施形態のストロボ装置を示した図である。詳細には、図８（Ａ）は第８の実施形態のストロボ装置を右前側かつ上側から見た斜視図、図８（Ｂ）は第８の実施形態のストロボ装置の正面図、図８（Ｃ）は第８の実施形態のストロボ装置の右側面図、図８（Ｄ）は図８（Ｂ）のＡ−Ａ線に沿った断面図である。
【０１６６】
図９は図８に示した第８の実施形態のストロボ装置の導光レンズ３の部品図である。詳細には、図９（Ａ）は第８の実施形態のストロボ装置の導光レンズ３の正面図、図９（Ｂ）は第８の実施形態のストロボ装置の導光レンズ３を右前側かつ上側から見た斜視図、図９（Ｃ）は第８の実施形態のストロボ装置の導光レンズ３の平面図、図９（Ｄ）は図９（Ａ）のＢ−Ｂ線に沿った断面図、図９（Ｅ）は第８の実施形態のストロボ装置の導光レンズ３の底面図、図９（Ｆ）は図９（Ａ）のＣ−Ｃ線に沿った断面図、図９（Ｇ）は第８の実施形態のストロボ装置の導光レンズ３の右側面図、図９（Ｈ）は図９（Ａ）のＤ−Ｄ線に沿った断面図、図９（Ｉ）は第８の実施形態のストロボ装置の導光レンズ３の左側面図、図９（Ｊ）は図９（Ａ）のＥ−Ｅ線に沿った断面図である。
【０１６７】
第８の実施形態のストロボ装置では、図９（Ａ）のＢ−Ｂ線に沿った断面内を進む光の光路が、図３（Ａ）および図３（Ｂ）に示した光路とほぼ同様になる。また、図９（Ａ）のＣ−Ｃ線に沿った断面内を進む光の光路が、図３（Ｃ）および図３（Ｄ）に示した光路とほぼ同様になる。
【０１６８】
詳細には、第１の実施形態のストロボ装置では、図１（特に図１（Ｄ））に示すように、光源１から放射された光の一部が、リフレクタ２によって概略水平な光になるように反射された後に導光レンズ３によって導光されるが、第８の実施形態のストロボ装置では、図８（特に図８（Ｄ））に示すように、光源１から放射された光の一部が、リフレクタ２によって概略水平な光になるように反射されるのではなく、導光レンズ３のレンズ部３ｅの入射面３ｅ３から入射し、次いで、全反射面３ｅ４によって概略水平な光になるように反射された後にレンズ部３ｅによって導光される。
【０１６９】
同様に、第８の実施形態のストロボ装置では、図８および図９に示すように、光源１から放射された光の一部が、導光レンズ３のレンズ部３ｂの入射面３ｂ３（図９（Ｉ）参照）から入射し、次いで、全反射面３ｂ４によって概略水平な光になるように反射された後にレンズ部３ｂによって導光される。また、光源１から放射された光の一部が、導光レンズ３のレンズ部３ｃの入射面３ｃ３（図９（Ｊ）参照）から入射し、次いで、全反射面３ｃ４によって概略水平な光になるように反射された後にレンズ部３ｃによって導光される。更に、光源１から放射された光の一部が、導光レンズ３のレンズ部３ｄの入射面３ｄ３（図９（Ｊ）参照）から入射し、次いで、全反射面３ｄ４によって概略水平な光になるように反射された後にレンズ部３ｄによって導光される。
【０１７０】
また、第８の実施形態のストロボ装置では、図８および図９に示すように、光源１から放射された光の一部が、導光レンズ３のレンズ部３ｆの入射面３ｆ３（図９（Ｈ）参照）から入射し、次いで、全反射面３ｆ４によって概略水平な光になるように反射された後にレンズ部３ｆによって導光される。更に、光源１から放射された光の一部が、導光レンズ３のレンズ部３ｇの入射面３ｇ３（図９（Ｇ）参照）から入射し、次いで、全反射面３ｇ４によって概略水平な光になるように反射された後にレンズ部３ｇによって導光される。また、光源１から放射された光の一部が、導光レンズ３のレンズ部３ｈの入射面３ｈ３（図９（Ｇ）参照）から入射し、次いで、全反射面３ｈ４によって概略水平な光になるように反射された後にレンズ部３ｈによって導光される。
【０１７１】
つまり、第８の実施形態のストロボ装置では、導光レンズ３がリフレクタ２と同様の機能を有する。そのため、第８の実施形態のストロボ装置では、リフレクタ２の一部を省略することができる。換言すれば、第８の実施形態のストロボ装置によれば、リフレクタ２の一部を省略することにより、第１の実施形態のストロボ装置よりも、ストロボ装置全体の重量を軽量化することができ、ストロボ装置全体の材料費を抑制することができる。
【０１７２】
第８の実施形態のストロボ装置では、導光レンズ３のレンズ部３ｂ，３ｃ，３ｄ，３ｅ，３ｆ，３ｇ，３ｈの入射面３ｂ３，３ｃ３，３ｄ３，３ｅ３，３ｆ３，３ｇ３，３ｈ３が例えば単一の平面によって構成されているが、第９の実施形態のストロボ装置では、代わりに、導光レンズ３のレンズ部３ｂ，３ｃ，３ｄ，３ｅ，３ｆ，３ｇ，３ｈの入射面３ｂ３，３ｃ３，３ｄ３，３ｅ３，３ｆ３，３ｇ３，３ｈ３を、単一の凹状面によって構成したり、単一の凸状面によって構成したり、複数の平面を組み合わせることによって構成したり、複数の曲面を組み合わせることによって構成したり、複数の平面および曲面を組み合わせることによって構成したりすることも可能である。
【０１７３】
第８の実施形態のストロボ装置では、導光レンズ３のレンズ部３ｂ，３ｃ，３ｄ，３ｅ，３ｆ，３ｇ，３ｈの全反射面３ｂ４，３ｃ４，３ｄ４，３ｅ４，３ｆ４，３ｇ４，３ｈ４が例えば単一の曲面によって構成されているが、第１０の実施形態のストロボ装置では、代わりに、導光レンズ３のレンズ部３ｂ，３ｃ，３ｄ，３ｅ，３ｆ，３ｇ，３ｈの全反射面３ｂ４，３ｃ４，３ｄ４，３ｅ４，３ｆ４，３ｇ４，３ｈ４を、複数の平面を組み合わせることによって構成したり、複数の曲面を組み合わせることによって構成したり、複数の平面および曲面を組み合わせることによって構成したりすることも可能である。
【０１７４】
第１１の実施形態では、上述した第１から第１０の実施形態を適宜組み合わせることも可能である。
【図面の簡単な説明】
【０１７５】
【図１】第１の実施形態のストロボ装置を示した図である。
【図２】図１に示した導光レンズ３の部品図である。
【図３】図１および図２に示した導光レンズ３内を進む光の光路を示した図である。
【図４】第６の実施形態のストロボ装置を示した図である。
【図５】図４に示した第６の実施形態のストロボ装置の導光レンズ３の部品図である。
【図６】第７の実施形態のストロボ装置を示した図である。
【図７】図６に示した第７の実施形態のストロボ装置の導光レンズ３の部品図である。
【図８】第８の実施形態のストロボ装置を示した図である。
【図９】図８に示した第８の実施形態のストロボ装置の導光レンズ３の部品図である。
【符号の説明】
【０１７６】
１                                                    光源
２                                                    リフレクタ
３                                                    導光レンズ
３ａ，３ｂ，３ｃ，３ｄ，３ｅ，３ｆ，３ｇ，３ｈ，３ｉ  レンズ部
３ａ１，３ｂ１，３ｃ１，３ｄ１，３ｅ１                左側壁
３ｆ１，３ｇ１，３ｈ１，３ｉ１                        左側壁
３ａ２，３ｂ２，３ｃ２，３ｄ２，３ｅ２                左側壁
３ｆ２，３ｇ２，３ｈ２，３ｉ２                        左側壁
Ｌ                                                    主光軸線
【図１】
2009128457.tif 000003
【図２】
2009128457.tif 000004
【図３】
2009128457.tif 000005
【図４】
2009128457.tif 000006
【図５】
2009128457.tif 000007
【図６】
2009128457.tif 000008
【図７】
2009128457.tif 000009
【図８】
2009128457.tif 000010
【図９】
2009128457.tif 000011